(57)【要約】【課題】ナイトモードで動作可能な携帯型電子機器、表示方法、及び表示プログラムの使い勝手を向上させる。【解決手段】携帯型電子機器は、表示部と、日の入りから日の出までの期間における表示部の照明の点灯頻度又は点灯輝度を、日の出から日の入りまでの期間における照明の点灯頻度又は点灯輝度よりも向上させるモードで動作し、かつ、モードにおいて照明の点灯頻度又は点灯輝度を向上させる期間の開始時刻または終了時刻を、入力情報に応じて調節可能なプロセッサーと、を含む。【選択図】図７
2017156494.tif 000002
【特許請求の範囲】
【請求項１】
表示部と、
日の入りから日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節可能なプロセッサーと、
を含む、携帯型電子機器。
【請求項２】
操作部をさらに含み、
前記入力情報には、
前記操作部を介して入力された情報が含まれる、
請求項１に記載の携帯型電子機器。
【請求項３】
前記入力情報には、
センサーの出力に基づいて生成された情報が含まれる、
請求項１に記載の携帯型電子機器。
【請求項４】
通信部をさらに含み、
前記入力情報には、
前記通信部を介して受信した情報が含まれる、
請求項１に記載の携帯型電子機器。
【請求項５】
前記入力情報には、
ユーザーの置かれた環境に関する情報が含まれる、
請求項２に記載の携帯型電子機器。
【請求項６】
前記入力情報には、
地形または天候に関する情報が含まれる、
請求項４に記載の携帯型電子機器。
【請求項７】
ユーザーの腕又は手首に装着可能な請求項１〜６の何れか一項に記載の携帯型電子機器。
【請求項８】
携帯型電子機器の表示部に関する表示方法であって、
日の入りから日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節すること、
をコンピューターに実行させる表示方法。
【請求項９】
携帯型電子機器の表示部に関する表示プログラムであって、
日の入りから日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節することと、
をコンピューターに実行させる表示プログラム。
【発明の詳細な説明】
【技術分野】
【０００１】
本発明は、携帯型電子機器、表示方法、及び表示プログラムに関する。
【背景技術】
【０００２】
携帯機器であるリスト機器には、バックライトの点灯頻度を必要最小限に抑えるためのモードが搭載されているものがある。非特許文献１には、リスト機器のモードの１つとしてナイトモードが説明されている。リスト機器がナイトモードに設定されると、日の入りから日の出までのトレーニング中にキー操作等が行われるとバックライトが点灯するが、日の出から日の入りまでのトレーニング中にキー操作等が行われてもバックライトが点灯しない。従って、このナイトモードによると、バックライトの点灯の禁止される時間帯が日中のみに制限されるので、夜間トレーニングにおける視認性を損なうことなく日中トレーニング中の無駄な電力消費を防ぐことができる。
【先行技術文献】
【非特許文献】
【０００３】
【非特許文献１】"ＧＡＲＭＩＮ（登録商標） ＦｏｒｅＡｔｈｌｅｔｅ（登録商標）  ２２０Ｊ 操作マニュアル"，発行年：２０１４年，発行者：株式会社いいよねっと
【発明の概要】
【発明が解決しようとする課題】
【０００４】
しかし、ユーザーの置かれた環境によってはナイトモードの機能が不十分となり得ることが判明した。以下、本明細書では、日中と夜間とで照明の点灯頻度又は点灯輝度を切り替える動作モードのことを「ナイトモード」という。
【０００５】
本発明は、以上のような問題点に鑑みてなされたものであり、本発明のいくつかの態様は、ナイトモードで動作可能な携帯型電子機器、表示方法、及び表示プログラムの使い勝手を向上させることを目的とする。
【課題を解決するための手段】
【０００６】
本発明は前述の課題の少なくとも一部を解決するためになされたものであり、以下の態様又は適用例として実現することが可能である。
【０００７】
［適用例１］
本適用例の携帯型電子機器は、表示部と、日の入りから日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節可能なプロセッサーと、を含む。
【０００８】
プロセッサーは、日の入りから日の出までの期間における照明の点灯頻度又は点灯輝度を、日の出から日の入りまでの期間における照明の点灯頻度又は点灯輝度よりも向上させるモードで動作する。よって、携帯型電子機器は、日中における表示部の消費電力の抑制と、夜間における表示部の視認性の確保とを両立することが可能である。
【０００９】
但し、ユーザーの置かれた環境によっては、ユーザーの周辺が暗くなり始めるタイミングが日の入り時刻に必ずしも一致せず、また、ユーザーの周辺が明るくなり始めるタイミングが日の出時刻に必ずしも一致しない。このため、ユーザーの置かれた環境によっては
、向上させる期間の開始時刻または終了時刻が不適切となり得る。
【００１０】
しかし、本適用例のプロセッサーは、当該モードにおいて照明の点灯頻度又は点灯輝度を向上させる期間の開始時刻または終了時刻を、入力情報に応じて調節可能である。したがって、本適用例の携帯型電子機器は、向上させる期間の開始時刻または終了時刻が不適切となりにくく、使い勝手を向上させることができる。
【００１１】
［適用例２］
本適用例の携帯型電子機器において、操作部をさらに含み、前記入力情報には、前記操作部を介して入力された情報が含まれてもよい。
【００１２】
従って、本適用例の携帯型電子機器は、向上させる期間の開始時刻または終了時刻を、入力された情報に応じて調節することができる。
【００１３】
［適用例３］
本適用例の携帯型電子機器において、前記入力情報には、センサーの出力に基づいて生成された情報が含まれてもよい。
【００１４】
従って、本適用例の携帯型電子機器は、向上させる期間の開始時刻または終了時刻を、センサーの出力に応じて調節することができる。
【００１５】
［適用例４］
本適用例の携帯型電子機器において、通信部をさらに含み、前記入力情報には、前記通信部を介して受信した情報が含まれてもよい。
【００１６】
従って、本適用例の携帯型電子機器は、向上させる期間の開始時刻または終了時刻を、受信した情報に応じて調節することができる。
【００１７】
［適用例５］
本適用例の携帯型電子機器において、前記入力情報には、ユーザーの置かれた環境に関する情報が含まれてもよい。
【００１８】
従って、本適用例の携帯型電子機器によれば、ユーザーの置かれた環境、すなわち携帯型電子機器の使用環境に応じて、表示部の消費電力の抑制と表示部の視認性の維持との両立を図ることが可能である。
【００１９】
［適用例６］
本適用例の携帯型電子機器において、前記入力情報には、地形または天候に関する情報が含まれてもよい。
【００２０】
従って、本適用例の携帯型電子機器は、向上させる期間の開始時刻または終了時刻を、地形または天候に応じて調節することができる。
【００２１】
［適用例７］
本適用例の携帯型電子機器は、ユーザーの腕又は手首に装着可能であってもよい。
【００２２】
従って、ユーザーは、携帯型電子機器を腕時計と同様の感覚で使用することができる。
【００２３】
［適用例８］
本適用例の表示方法は、携帯型電子機器の表示部に関する表示方法であって、日の入り
から日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節すること、をコンピューターに実行させる。
【００２４】
コンピューターは、日の入りから日の出までの期間における照明の点灯頻度又は点灯輝度を、日の出から日の入りまでの期間における照明の点灯頻度又は点灯輝度よりも向上させるモードで動作する。よって、本適用例の表示方法によれば、日中における表示部の消費電力の抑制と、夜間における表示部の視認性の確保とを両立することが可能である。
【００２５】
但し、ユーザーの置かれた環境によっては、ユーザーの周辺が暗くなり始めるタイミングが日の入り時刻に必ずしも一致せず、また、ユーザーの周辺が明るくなり始めるタイミングが日の出時刻に必ずしも一致しない。このため、ユーザーの置かれた環境によっては、向上させる期間の開始時刻または終了時刻が不適切となり得る。
【００２６】
しかし、本適用例のコンピューターは、当該モードにおいて照明の点灯頻度又は点灯輝度を向上させる期間の開始時刻または終了時刻を、入力情報に応じて調節可能である。したがって、本適用例の表示方法によれば、向上させる期間の開始時刻または終了時刻が不適切となりにくく、使い勝手を向上させることができる。
【００２７】
［適用例９］
本適用例の表示プログラムは、携帯型電子機器の表示部に関する表示プログラムであって、日の入りから日の出までの期間における前記表示部の照明の点灯頻度又は点灯輝度を、日の出から日の入りまでの期間における前記照明の点灯頻度又は点灯輝度よりも向上させるモードで動作し、かつ、前記モードにおいて前記照明の点灯頻度又は点灯輝度を向上させる期間の開始時刻または終了時刻を、入力情報に応じて調節すること、をコンピューターに実行させる。
【００２８】
コンピューターは、日の入りから日の出までの期間における照明の点灯頻度又は点灯輝度を、日の出から日の入りまでの期間における照明の点灯頻度又は点灯輝度よりも向上させるモードで動作する。よって、本適用例の表示プログラムによれば、日中における表示部の消費電力の抑制と、夜間における表示部の視認性の確保とを両立することが可能である。
【００２９】
但し、ユーザーの置かれた環境によっては、ユーザーの周辺が暗くなり始めるタイミングが日の入り時刻に必ずしも一致せず、また、ユーザーの周辺が明るくなり始めるタイミングが日の出時刻に必ずしも一致しない。このため、ユーザーの置かれた環境によっては、向上させる期間の開始時刻または終了時刻が不適切となり得る。
【００３０】
しかし、本適用例のコンピューターは、当該モードにおいて照明の点灯頻度又は点灯輝度を向上させる期間の開始時刻または終了時刻を、入力情報に応じて調節可能である。したがって、本適用例の表示プログラムによれば、向上させる期間の開始時刻または終了時刻が不適切となりにくく、使い勝手を向上させることができる。
【図面の簡単な説明】
【００３１】
【図１】第１実施形態における電子機器１の概要を説明するための図である。
【図２】電子機器を含むシステムの構成例を説明するための機能ブロック図である。
【図３】電子機器１との間におけるデータ転送に関する情報端末２の処理例を説明するためのフローチャートである。
【図４】サーバー４との間における情報通信に関する情報端末２の処理例を説明するためのフローチャートである。
【図５】ナイトモードを説明するための図である。
【図６】ユーザーの置かれ得る様々な環境の例を説明するための図である。
【図７】点灯許可期間の手動調節を説明するための図である。
【図８】地形データ（オープン度マップ）の一例を説明する図である。
【図９】気候データ（明るさ度マップ）の一例を説明する図である。
【図１０】調節量Δの算出テーブルの一例を説明する図である。
【図１１】ナイトモード機能及びオートラップ機能がオンされた場合における電子機器１の処理例のフローチャートである。
【図１２】変形例におけるシステムの構成例を説明するための機能ブロック図である。
【図１３】変形例における電子機器１の処理例のフローチャートである。
【発明を実施するための形態】
【００３２】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３３】
１．電子機器の実施形態
１−１．電子機器の概要
図１は、第１実施形態における電子機器の概要を説明するための図である。
【００３４】
図１に示すように、本実施形態における電子機器１（携帯型電子機器の一例）は、ユーザーの身体の一部へ装着されるウェアラブルな携帯情報機器である。必要なときにユーザーが目視できるよう、電子機器１の装着先は、例えば、肘から手に至る部位（前腕）である。
【００３５】
図１に示す例では、電子機器１はリスト型（腕時計型）のウェアラブルな携帯情報機器として構成され、ユーザーの手首へ装着するための装着具であるベルト１Ｂを有している。また、電子機器１の表示部１７０の外縁部には、例えばメカスイッチで構成された４つの操作ボタン１５０Ｂ、１５０Ａ、１５０Ｃ、１５０Ｄが設けられている。
【００３６】
ここで、表示部１７０の中央を基準とした各方向を、表示部１７０を１２時制針式時計の文字盤であると仮定した場合の時刻で表現するならば、図１において、表示部１７０における操作ボタン１５０Ｂの位置は、表示部１７０の１０時の位置であり、操作ボタン１５０Ａの位置は、表示部１７０の８時の位置であり、操作ボタン１５０Ｃの位置は、表示部１７０の２時の位置であり、操作ボタン１５０Ｄの位置は、表示部１７０の４時の位置である。なお、表示部１７０の形状は図１に示した円盤状に限定されることはなく、表示部１７０における操作ボタン１５０Ｂ〜１５０Ｄの位置および個数は図１に示したものに限定されることはない。
【００３７】
さて、図１では、電子機器１が時刻表示モードにあるときの様子を示している。時刻表示モードにおける表示部１７０には、例えば、現在の日時、曜日、午前午後の別などが文字や数字の画像イメージとして表示される。
【００３８】
操作ボタン１５０Ａには、電子機器１のモード切り替えの指示をユーザーが電子機器１へ入力するための機能が割り付けられている。但し、電子機器１がメニュー表示モードにあるとき（メニュー画面が表示されている期間中）は、ユーザーが決定指示（設定指示）を電子機器１へ入力するための機能が操作ボタン１５０Ａに割り付けられる。
【００３９】
操作ボタン１５０Ｂには、例えば、ライト点灯指示及び消灯指示をユーザーが電子機器１へ入力するための機能が割り付けられている。
【００４０】
操作ボタン１５０Ｃには、ユーザーがパフォーマンス計測（スプリットタイムの計測、オートラップ機能などを含む。）の計測開始指示及び計測終了指示を電子機器１へ入力するための機能が割り付けられている。また、電子機器１がメニュー表示モードにあるとき（メニュー画面が表示されている期間中）は、メニュー画面におけるカーソルの上方向への移動指示を電子機器１へ入力するための機能が操作ボタン１５０Ｃに割り付けられる。
【００４１】
操作ボタン１５０Ｄには、メニュー画面の呼び出し指示を電子機器１へ入力するための機能が割り付けられている。但し、パフォーマンス計測中には、ユーザーがラップの記録指示（手動によるラップ区切りの指示）を電子機器１へ入力するための機能が操作ボタン１５０Ｄに割り付けられる。電子機器１がメニュー表示モードにあるとき（メニュー画面が表示されている期間中）は、カーソルの下方向への移動指示を電子機器１へ入力するための機能が操作ボタン１５０Ｄに割り付けられる。
【００４２】
以上の電子機器１は、時計として動作する他、パフォーマンス計測装置として動作する。パフォーマンス計測装置としての電子機器１は、各種のセンシング機能を活用してユーザーパフォーマンスデータを取得（パフォーマンス計測）する。なお、以下ではユーザーパフォーマンスデータのことを単に「パフォーマンスデータ」ともいう。以下、ユーザーがランナーであって、ランニングに有用なユーザーパフォーマンスデータが取得される場合を例に挙げる。
【００４３】
ユーザーパフォーマンスデータには、例えば、走行コースにおけるユーザーの運動に関する経過情報と、走行コースの区間ごとのユーザーの運動に関するラップ情報とが含まれる。
【００４４】
「走行コース」は、ユーザーがランニングするコースのことであって、計測開始時点から計測終了時点までの期間、又は計測開始地点から計測終了地点までの経路のことを指す。つまり、走行コースには、距離の概念（予定距離、予定経路）と時間の概念（予定時間）との双方が含まれる。
【００４５】
「経過情報」は、走行コースの開始点（開始地点又は開始時点）から現在点（現在地点又は現在時点）に至る区間におけるユーザーパフォーマンスデータのことである。経過情報には、例えば、当該区間の累積走行距離、当該区間の累積走行時間（スプリットタイム）、当該区間の平均走行速度、当該区間の平均心拍数などが含まれる。
【００４６】
「ラップ情報」は、走行コースを所定時間又は所定距離で区切ってできる区間（以下、ラップ区間という。）におけるユーザーパフォーマンスデータのことである。ラップ区間が距離の区間である場合、ラップ情報には、ラップ区間の走行時間（ラップタイム）、ラップ区間の平均走行速度（ラップペース）、ラップ区間の平均心拍数（ラップ心拍数）などが含まれる。また、ラップ区間が時間の区間である場合、ラップ情報には、ラップ区間の走行距離（ラップ距離）、ラップ区間の平均走行速度（ラップペース）、ラップ区間の平均心拍数（ラップ心拍数）などが含まれる。
【００４７】
なお、ユーザーパフォーマンスデータの生成（計測）には、後述する脈センサー、加速度センサー、角速度センサー、ＧＰＳセンサー（GPS：Global Positioning System）、地磁気センサー、気圧センサーなどが用いられる。但し、ユーザーパフォーマンスデータの生成（計測）には、他のセンサーを組み合わせてもよいし、一部のセンサーを用いなくて
もよい。また、「脈拍」は、心臓が全身に血液を送り出す拍動（心拍）の変化が身体の各部における動脈に伝わった脈動のことである。以下の説明で「脈拍」又は「脈」と記載する箇所は、技術的に置換可能な範囲において、適宜「心拍」と読み替えることが可能である。
【００４８】
そして、電子機器１は、各種のユーザーパフォーマンスデータについてロギングを行う。ここで、「ロギング」とは、ユーザーパフォーマンスデータを記録することを指す。また、「パフォーマンスデータのロギング」とは、パフォーマンスデータの履歴を記録すること（つまりデータを時系列または個々のデータが特定可能な形で記録すること）を指す。
【００４９】
１−２．ユーザー動作の概要
事前準備では、ユーザーは、電子機器１の表示部１７０にメニュー画面を表示させ、身長、体重、年齢、性別、体脂肪率など、自分の身体に関するデータ（ユーザー身体データ）の入力を行う。また、ユーザーは、メニュー画面において、オートラップ機能に関する設定（ラップ区間の設定など）を行い、電子機器１を時刻表示モードに戻す。なお、ユーザーは、身体データと共に目標データ（ユーザー目標データ）を入力してもよい。ユーザー目標データは、例えば、ラップタイムの目標値、ラップ距離の目標値、ラップ心拍数の目標値などである。
【００５０】
その後、ユーザーは、例えば、電子機器１を腕に装着した状態で、走行コースの開始点に立ち、スタートのタイミング（ユーザーが走行を開始したタイミング又はスタート合図のタイミング）で電子機器１の操作ボタン１５０Ｃを押下し、パフォーマンス計測を電子機器１に開始させ、走行を開始する。その後、電子機器１は、基本的には、例えば、通常計測画面を継続して表示し、ラップ区間の区切りのタイミングが到来したタイミングで、最新のラップ区間のラップ情報（ラップタイム、ラップペース、ラップ心拍数、それらの目標達成度など）を、音、振動、画像、光、色、又はそれらの組み合わせなどでユーザーに通知する。
【００５１】
その後、ユーザーは、走行コースの終了点に到達すると、電子機器１の操作ボタン１５０Ｃを押下し、パフォーマンス計測を電子機器１に終了させる。これによって、電子機器１は時刻表示モードに戻る。
【００５２】
その後、ユーザーは、スマートフォン、タブレットＰＣ（PC: personal computer）、デスクトップＰＣ等の情報端末２（後述）へ近距離無線通信などを介して電子機器１を接続することで、電子機器１に蓄積されたログデータ（ユーザーパフォーマンスデータ）、ユーザー身体データ、ユーザー目標データ等を、情報端末２へ転送することができる。
【００５３】
また、ユーザーは、情報端末２をインターネットなどのネットワーク３（後述）を介してサーバー４（後述）へ接続することで、ユーザーパフォーマンスデータ、ユーザー身体データ、ユーザー目標データ等をサーバー４へアップロードし、サーバー４へ保管させることもできる。
【００５４】
また、ユーザーは、所望のタイミングで情報端末２をインターネットなどのネットワーク３を介してサーバー４へ接続することで、自分のユーザーパフォーマンスデータ等を情報端末２にて確認することができる。また、ユーザーは、所望のタイミングで情報端末２をインターネットなどのネットワーク３を介してサーバー４へ接続することで、サーバー４から各種の付随情報（アプリケーションソフトウエアプログラム、ユーザーの走行コースに関する地図データ、地形データ、気候データなど）の提供を受けることもできる。
【００５５】
なお、ユーザーは、予め、例えば情報端末２をインターネットなどのネットワーク３を介してサーバー４へ接続し、電子機器１のＩＤ（識別情報）、ユーザーのＩＤ（識別情報）などの登録情報をサーバー４へ送信することにより、サーバー４に対するユーザー登録を完了させたものと仮定する。登録後、ユーザーは、ユーザーパフォーマンスデータを保管するサービスの提供及び前述した付随情報（アプリケーションソフトウエアプログラム、地図データ、地形データ、気候データなど）の提供をサーバー４から受けることが可能となる。
【００５６】
１−３．電子機器の構成
図２は、第１実施形態の電子機器を含むシステムの構成を説明するための機能ブロック図である。
【００５７】
本実施形態のシステムには、電子機器１と情報端末２とサーバー４とが含まれ、情報端末２とサーバー４とはインターネットなどのネットワーク３を介して接続される。また、電子機器１と情報端末２とは例えば近距離無線通信などを介して通信することが可能である。
【００５８】
図２に示すように、電子機器１は、ＧＰＳセンサー１１０、地磁気センサー１１１、気圧センサー１１２、加速度センサー１１３、角速度センサー１１４、脈センサー１１５、温度センサー１１６、処理部１２０、記憶部１３０、操作部１５０、計時部１６０（センサーの一例）、表示部１７０、音出力部１８０、通信部１９０、バッテリー１９１などを含んで構成される。但し、電子機器１の構成は、これらの構成要素の一部を削除又は変更し、或いは他の構成要素（例えば、湿度センサー、紫外線センサーなど）を追加したものであってもよい。
【００５９】
ＧＰＳセンサー１１０は、電子機器１の位置などを示す測位データ（緯度、経度、高度、速度ベクトルなどのデータ）を生成して処理部１２０へ出力するセンサーであって、例えばＧＰＳ受信機（GPS: Global Positioning System）等を含んで構成される。ＧＰＳセンサー１１０は、外部から到来する所定周波数帯域の電磁波を不図示のＧＰＳアンテナで受信し、ＧＰＳ衛星からのＧＰＳ信号を抽出すると共に、当該ＧＰＳ信号に基づき電子機器１の位置などを示す測位データを生成する。
【００６０】
地磁気センサー１１１は、電子機器１から見た地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）素子、ＭＩ（Magnet impedance）素子、ホール素子などが用いられる。
【００６１】
気圧センサー１１２は、周辺の気圧（大気圧）を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２の出力は、測位データを補正するために使用されてもよい。
【００６２】
加速度センサー１１３は、互いに交差する（理想的には直交する）３軸方向の各々の加速度を検出し、検出した３軸加速度の大きさ及び向きに応じたデジタル信号（加速度データ）を出力する慣性センサーである。なお、加速度センサー１１３の出力は、ＧＰＳセンサー１１０の測位データに含まれる位置の情報を補正するために使用されてもよい。
【００６３】
角速度センサー１１４は、互いに交差する（理想的には直交する）３軸方向の各々の角
速度を検出し、計測した３軸角速度の大きさ及び向きに応じたデジタル信号（角速度データ）を出力する慣性センサーである。なお、角速度センサー１１４の出力は、ＧＰＳセンサー１１０の測位データに含まれる位置の情報を補正するために使用されてもよい。
【００６４】
脈センサー１１５は、ユーザーの脈拍を示す信号を生成して処理部１２０へ出力するセンサーであって、例えば、適当な波長を有した計測光を皮下の血管に向けて照射するＬＥＤ光源（LED: Light Emitting Diode）などの光源と、当該計測光に応じて血管で発生した光の強度変化を検出する受光素子とを有している。なお、光の強度変化波形（脈波）を周波数解析など公知の手法により処理することで、脈拍数（１分間当たりの脈拍数）を計測することができる。なお、脈センサー１１５としては、光源及び受光素子からなる光電センサーに代えて、超音波により血管の収縮を検出して脈拍数を計測する超音波センサーを採用してもよく、電極から微弱電流を体内に流して脈拍数を計測するセンサー等を採用してもよい。
【００６５】
温度センサー１１６は、周辺の温度に応じた信号（例えば、温度に応じた電圧）を出力する感温素子である。なお、温度センサー１１６は、温度に応じたデジタル信号を出力するものであってもよい。
【００６６】
処理部１２０（プロセッサー、コンピューター）は、例えば、ＭＰＵ（Micro Processing Unit）、ＤＳＰ（Digital Signal Processor）、ＡＳＩＣ（Application Specific Integrated Circuit）等により構成される。処理部１２０は、記憶部１３０に格納されたプログラムと、操作部１５０を介してユーザーが入力した各種のコマンドとに従い各種の処理を行う。処理部１２０による処理には、ＧＰＳセンサー１１０、地磁気センサー１１１、気圧センサー１１２、加速度センサー１１３、角速度センサー１１４、脈センサー１１５、温度センサー１１６、計時部１６０などが生成するデータへのデータ処理、音出力部１８０に音を出力させる音出力処理、バッテリー１９１からの電力を各部へ供給する電力制御処理などが含まれる。また、処理部１２０は、適宜、距離算出部１２１、タイム算出部１２２、ペース算出部１２３、心拍算出部１２４、表示制御部１２５として機能する。なお、距離算出部１２１、タイム算出部１２２、ペース算出部１２３、心拍算出部１２４、表示制御部１２５の詳細については後述する。
【００６７】
記憶部１３０は、例えば１又は複数のＩＣメモリー(IC: Integrated Circuit)などにより構成され、プログラムなどのデータが記憶されるＲＯＭと、処理部１２０の作業領域となるＲＡＭとを有する。なお、ＲＡＭには不揮発性のＲＡＭも含まれ、不揮発性のＲＡＭには、ユーザーパフォーマンスデータ１３３、ユーザー身体データ１３４、ユーザー目標データ１３５、日の出日の入りデータ１３６、地形データ（オープン度マップ）１３７、天候データ（明るさ度マップ）１３８などの記憶領域が確保されている。このうち、地形データ（オープン度マップ）１３７、天候データ（明るさ度マップ）１３８は、電子機器１の使用エリア、使用時期が変化した場合に更新される必要があるので、例えば、ネットワーク３及び情報端末２を介して適当なタイミングでサーバー４から提供されたものである。また、日の出日の入りデータ１３６は、更新される必要がないため、例えば、予め不揮発性のＲＡＭに格納されたものである。
【００６８】
操作部１５０は、例えばボタン、キー、マイク、タッチパネル、音声認識機能（不図示のマイクロフォンを利用）、アクション検出機能（加速度センサー１１３などを利用）などで構成され、ユーザーからの指示を適当な信号に変換して処理部１２０へ送る処理を行う。前述した操作ボタン１５０Ｂ、１５０Ａ、１５０Ｃ、１５０Ｄは、この操作部１５０の少なくとも一部である。
【００６９】
計時部１６０は、例えば、リアルタイムクロック（ＲＴＣ：Real Time Clock）ＩＣな
どにより構成され、年、月、日、時、分、秒等の時刻データ（センサーの出力に基づき生成された情報の一例）を生成して処理部１２０に送る。なお、時刻データは、測位データに含まれる時刻情報に基づき適宜に補正されてもよい。
【００７０】
表示部１７０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０からの指示に従って各種の画像を表示する。表示部１７０には、後述するバックライト１７０Ａ（表示部の照明の一例）が設けられている。なお、表示部１７０のバックライトは、表示部１７０が反射型ディスプレイである場合は、例えば、フロントライト型のバックライトである。また、表示部１７０が自発光ディスプレイである場合は、ディスプレイ自体の明るさ調節機能（表示部の照明の一例）のことを「バックライト１７０Ａ」という。
【００７１】
音出力部１８０は、例えばスピーカー、ブザー、バイブレーターなどで構成され、処理部１２０からの指示に従って各種の音（又は振動）を発生させる。
【００７２】
通信部１９０は、電子機器１と情報端末２との間のデータ通信を成立させるための各種制御を行う。通信部１９０は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００７３】
バッテリー１９１は、電子機器１構成する各要素に対して電力を供給する例えば充電式のバッテリーである。バッテリー１９１の充電方式としては、例えば、無接点充電、有接点充電（クレードル等を使用した充電）などを適用することができる。本実施形態では、外出先におけるバッテリー１９１の充電が困難であって、そのために電子機器１の消費電力を抑える必要性が高い場合を想定する。なお、バッテリー１９１は、交換式のバッテリーであってもよい。
【００７４】
情報端末２は、インターネットなどのネットワーク３に接続可能なスマートフォン、タブレットＰＣ（PC: personal computer）、デスクトップＰＣなどの情報端末であって、電子機器１の通信部１９０に対応した不図示の通信部を搭載している。また、情報端末２の記憶部（不図示）には、電子機器１を制御するためのプログラムなどがインストールされており、情報端末２は、少なくとも電子機器１に接続された際には、このプログラムに従って動作する。このプログラムは、例えば、インターネットなどのネットワーク３を介してサーバー４からダウンロードされたものである。
【００７５】
サーバー４は、インターネットなどのネットワーク３に接続されたサーバーである。サーバー４には、電子機器１のユーザーからアップロードされたデータなどをユーザーごとに管理する機能が搭載されている。また、サーバー４には、電子機器１のユーザーに向けてプログラム、地図データ、地形データ（オープン度マップ）、気候データ（明るさ度マップ）などを提供する機能も搭載されている。
【００７６】
１−４．処理部の詳細
以下、処理部１２０における距離算出部１２１、タイム算出部１２２、ペース算出部１２３、心拍算出部１２４について順に説明する。なお、ユーザーパフォーマンスデータの生成に用いられるセンサーの組み合わせは一例であり、ユーザーパフォーマンスデータの算出には公知の何れかの組み合わせが採用可能である。
【００７７】
距離算出部１２１は、例えば、計時部１６０の出力と、ＧＰＳセンサー１１０の出力と
に基づき、走行コースの開始時点から現在時点までの期間内におけるユーザーの累積走行距離を算出する。
【００７８】
また、距離算出部１２１は、ラップ区間として「時間のラップ区間」が設定されている場合には、例えば、計時部１６０の出力と、ＧＰＳセンサー１１０の出力とに基づき、ラップ区間の開始時点から終了時点までの期間内におけるユーザーが移動距離を、当該ラップ区間のラップ距離として算出する。
【００７９】
なお、距離算出部１２１が算出した累積走行距離、ラップ距離は、記憶部１３０のユーザーパフォーマンスデータ１３３へ書き込まれる。
【００８０】
また、距離算出部１２１は、加速度センサー１１３の出力と、角速度センサー１１４の出力と、ユーザー身体データ１３４と、地磁気センサー１１１の出力と、気圧センサー１１２の出力との少なくとも１つを用いることで、距離の算出精度を向上させることもできる。
【００８１】
タイム算出部１２２は、例えば、計時部１６０の出力に基づき、走行コースの開始時点から現在時点までの経過時間を、ユーザーのスプリットタイムとして算出する。
【００８２】
また、タイム算出部１２２は、ラップ区間として「距離のラップ区間」が設定されている場合には、例えば、計時部１６０の出力と、ＧＰＳセンサー１１０の出力とに基づき、ラップ区間の開始地点から終了地点までの経路におけるユーザーの移動時間を、当該ラップ区間のラップタイムとして算出する。
【００８３】
なお、距離算出部１２１が算出したスプリットタイム、ラップタイムは、記憶部１３０のユーザーパフォーマンスデータ１３３へ書き込まれる。
【００８４】
また、タイム算出部１２２は、加速度センサー１１３の出力と、角速度センサー１１４の出力と、ユーザー身体データ１３４と、地磁気センサー１１１の出力と、気圧センサー１１２の出力との少なくとも１つを用いることで、タイムの算出精度を向上させることもできる。
【００８５】
ペース算出部１２３は、例えば、計時部１６０の出力と、ＧＰＳセンサー１１０の出力とに基づき、走行コースの開始地点から現在地点までにおけるユーザーの平均走行速度を、ユーザーの平均ペースとして算出する。
【００８６】
また、ペース算出部１２３は、ラップ区間として「時間のラップ区間」が設定されている場合には、例えば、計時部１６０の出力と、ＧＰＳセンサー１１０の出力とに基づき、ラップ区間の開始時点から終了時点までの期間内におけるユーザーの平均走行速度をラップペースとして算出する。
【００８７】
また、ペース算出部１２３は、ラップ区間として「距離のラップ区間」が設定されている場合には、例えば、計時部１６０の出力と、ＧＰＳセンサー１１０の出力とに基づき、ラップ区間の開始地点から終了地点までの経路におけるユーザーの平均走行速度をラップペースとして算出する。
【００８８】
心拍算出部１２４は、例えば、計時部１６０の出力と、脈センサー１１５の出力とに基づき、走行コースの開始時点から現在時点までのユーザーの単位時間当たりの平均心拍数を算出する。
【００８９】
また、心拍算出部１２４は、ラップ区間として「時間のラップ区間」が設定されている場合には、例えば、計時部１６０の出力と、脈センサー１１５の出力とに基づき、ラップ区間の開始時点から終了時点までの期間内におけるユーザーの平均心拍数をラップ心拍数として算出する。
【００９０】
また、心拍算出部１２４は、ラップ区間として「距離のラップ区間」が設定されている場合には、例えば、計時部１６０の出力と、脈センサー１１５の出力とに基づき、ラップ区間の開始地点から終了地点までの経路におけるユーザーの平均心拍数をラップ心拍数として算出する。
【００９１】
また、表示制御部１２５は、表示部１７０へ画像を表示させる表示処理を行う。また、表示制御部１２５は、表示部１７０に設けられたバックライト１７０Ａ（後述）に供給される電力の制御を行い、バックライト１７０Ａの点灯照度（点灯輝度）を調節する処理、バックライト１７０Ａの点灯タイミングを制御する処理、バックライト１７０Ａの消灯タイミングを制御する処理などを行う。バックライト１７０Ａの詳細については後述する。
【００９２】
１−５．情報端末の処理
図３は、電子機器１との間におけるデータ転送に関する情報端末２の処理を説明するためのフローチャートである。以下、図３の各ステップを順に説明する。
【００９３】
まず、情報端末２は、近距離無線通信を介して電子機器１と通信が可能であるか否かを判定し（Ｓ１２０）、可能である判定した場合（Ｓ１２０Ｙ）は次の処理（Ｓ１３０）を開始し、そうでない場合（Ｓ１２０Ｎ）には待機する。
【００９４】
次に、情報端末２は、電子機器１の通信部１９０及び処理部１２０を介して電子機器１の記憶部１３０にアクセスし、記憶部１３０に格納されているユーザーパフォーマンスデータ１３３、ユーザー身体データ１３４、ユーザー目標データ１３５を読み込む（Ｓ１３０）。
【００９５】
次に、情報端末２は、電子機器１の通信部１９０及び処理部１２０を介して電子機器１の記憶部１３０にアクセスし、サーバー４からダウンロードした地形データ（オープン度マップ）、気候データ（明るさ度マップ）を、当該記憶部１３０に書き込み、フローを終了する（Ｓ１４０）。なお、ダウンロードのステップは、後述する。
【００９６】
なお、電子機器１と情報端末２との間のデータの送信（データ転送）は、所定のフォーマットで行われる。
【００９７】
図４は、サーバー４との間における情報通信に関する情報端末２の処理を説明するためのフローチャートである。以下、図４の各ステップを順に説明する。
【００９８】
まず、情報端末２は、ネットワーク３を介してサーバー４にユーザーＩＤを送信する（Ｓ２１０）。
【００９９】
次に、情報端末２は、ネットワーク３を介してサーバー４からアクセスの許可通知を受信したか否かを判定し（Ｓ２３０）、受信したと判定した場合（ユーザー認証が完了した場合）には（Ｓ２３０Ｙ）、次の処理（Ｓ２５０）を開始し、そうでない場合（Ｓ２３０Ｎ）には待機する。
【０１００】
次に、情報端末２は、電子機器１から読み込んだユーザーパフォーマンスデータ１３３、ユーザー身体データ１３４、ユーザー目標データ１３５を、サーバー４へ送信する（Ｓ
２５０）。
【０１０１】
次に、情報端末２は、ユーザーから指定されたエリアの地形データ（オープン度マップ）、気候データ（明るさ度マップ）を、ネットワーク３を介してサーバー４からダウンロードし、フローを終了する（Ｓ２７０）。なお、当該エリアは、前述した走行コースを包含するエリアである。
【０１０２】
なお、情報端末２とサーバー４との間のデータの送信（情報通信）は、所定のフォーマットで行われる。
【０１０３】
１−６．バックライトについて
本実施形態の表示部１７０には、バックライト１７０Ａが搭載されている。バックライト１７０Ａは、表示部１７０に表示された情報の視認性を高めるために設けられた照明装置のことである。このバックライト１７０Ａの制御は、表示制御部１２５（処理部１２０）によって行われる。
【０１０４】
例えば、表示部１７０がＬＣＤ（ＬＣＤ：Liquid Crystal Display）で構成される場合、表示部１７０のバックライト１７０Ａは、ＬＣＤの液晶パネルの背面又は側部に設けられた照明装置又は液晶パネルの側部に設けられた照明装置などである。
【０１０５】
表示部１７０のバックライト１７０Ａが点灯すると、表示部１７０に表示されたイメージ（例えばモノクロイメージ）のうち、相対的に輝度の高い部分の輝度（すなわち、照明光の透過光量又は照明光の反射光量）が高まるので、当該イメージのコントラストが高まり、その結果当該イメージの視認性（暗い環境下での視認性）が高まる。バックライト１７０Ａに用いられる光源は、例えば白色ＬＥＤ光源（ＬＥＤ：Light Emitting Diode）又は他の色のＬＥＤ光源などである。以下、バックライト１７０Ａによる照明光の光量を、「バックライト１７０Ａの点灯照度」、又は「バックライト１７０Ａの点灯輝度」という。
【０１０６】
基本的に、処理部１２０は、表示部１７０のバックライト１７０Ａの点灯を、ユーザーがライト点灯指示を入力している期間中に制限し、ユーザーがライト点灯指示を入力していない期間には、バックライト１７０Ａを消灯する。または、ライト点灯指示が入力されてから所定時間以内（例えば３秒以内、１０秒以内など）に制限する。但し、電子機器１からユーザーへのオート通知機能（後述するオートラップ機能もオート通知機能の一種である。）がオンされているときには、通知のタイミングで一時的にバックライト１７０Ａが点灯することもある。一方、電子機器１にナイトモード機能（後述）が発現している場合（処理部１２０がナイトモードで動作している場合）には、通知のタイミングであっても、日中の期間（日の出から日の入りまでの期間）である場合には、バックライト１７０Ａの点灯が禁止される。
【０１０７】
なお、ここでは、文言「バックライト１７０Ａの点灯」を、「バッテリー１９１からの電力がバックライト１７０Ａへ供給され、バックライト１７０Ａが表示部１７０の表示画面を所定の照度で照明する状態」の意味で使用する。但し、「バックライト１７０Ａの点灯」には、バックライト１７０Ａの点灯照度が定常的である場合だけでなく、バックライト１７０Ａの点灯照度が周期変化する場合（高速に点滅し、ユーザーにとっては点灯照度が定常的とみなせる場合）が含まれてもよい。
【０１０８】
また、ここでは、原則として、文言「バックライト１７０Ａの消灯」を、「バッテリー１９１からバックライト１７０Ａへ供給される電力が減少し、バックライト１７０Ａが表示部１７０の表示画面を照明していない状態」の意味で使用する。但し、「バックライト
１７０Ａの消灯」には、バックライト１７０Ａの点灯照度が完全にゼロとなる場合だけでなく、バックライト１７０Ａの点灯照度がバックライト１７０Ａの点灯時における点灯照度より低い場合が含まれてもよい。
【０１０９】
１−７．ナイトモード機能
前述したとおり、基本的に、表示部１７０のバックライト１７０Ａが点灯するのは、ユーザーがライト点灯指示を入力している期間中に制限され、ユーザーがライト点灯指示を入力していない期間には、バックライト１７０Ａは消灯される。但し、電子機器１からユーザーへのオート通知機能（ここでは、オートラップ機能を想定する。）がオンされているときには、通知のタイミング（ラップ区間の区切り）で一時的に（例えば２秒間に亘って）バックライト１７０Ａが点灯する。
【０１１０】
但し、電子機器１にナイトモード機能が発現している場合には、通知のタイミング（ラップ区間の区切り）が到来した場合であっても、当該タイミングが日中の期間（日の出から日の入りまでの期間）である限り、バックライト１７０Ａの点灯が禁止される。
【０１１１】
つまり、ナイトモード機能とは、バックライト１７０Ａの点灯が許可される期間（点灯許可期間）と、バックライト１７０Ａの点灯が禁止される期間（点灯禁止期間、バックライト１７０Ａが消灯される期間）とを電子機器１に設け、かつ、点灯許可期間を夜間（日の入りから日の出までの期間）に対応させ、点灯禁止期間を日中（日の出から日没までの期間）に対応させたものである。なお、ナイトモード機能による点灯禁止期間は、日中から微小時間（例えば数分）だけずれていてもよい。また、ナイトモード機能による点灯許可期間は、夜間から微小時間（例えば数分）だけずれていてもよい。但し、この微小時間は予め決められた時間（固定値）である。よって、当該ずれは、本実施形態の調節（後述）によって生じるずれとは異なる。
【０１１２】
点灯許可期間におけるバックライト１７０Ａの点灯頻度又は点灯輝度は、点灯禁止期間におけるバックライト１７０Ａの点灯頻度又は点灯輝度よりも高く設定される。すなわち、ナイトモードは、日の入りから日の出までの期間における照明の点灯頻度又は点灯輝度を、日の出から日の入りまでの期間における照明の点灯頻度又は点灯輝度よりも向上させるモードであるということができる。
【０１１３】
図５は、電子機器１にナイトモードの機能とオートラップ機能との双方が発現している場合における各タイミングを示す図である。図５の横軸は、距離である。
【０１１４】
図５では、ラップ区間が１ｋｍの区間に設定され、ラップ区間の区切りの地点Ｐ（０）〜Ｐ（１０）にユーザーが到達する度に、最新のラップ区間のラップ情報（ラップタイム、ラップペース、ラップ心拍数、それらの目標達成度など）がユーザーへ通知される場合を示している。
【０１１５】
区切りの地点Ｐ（０）〜Ｐ（１０）のうち、地点Ｐ（４）、Ｐ（５）の中間地点にユーザーが到達したタイミングが日の入り時刻であったとすると、日の入り時刻よりも前にユーザーが到達した地点Ｐ（０）〜Ｐ（４）ではバックライト１７０Ａは点灯しないが、日の入り時刻よりも後にユーザーが到達した地点Ｐ（５）〜Ｐ（１０）ではバックライト１７０Ａが点灯する。
【０１１６】
ここで、日の出時刻及び日の入り時刻は、現在時刻（現在時点）の属する日付け（ここでは「日付け」を、当日の年月日の意味で使用する。）と、現在位置（現在地点）とによって異なる。そこで、電子機器１の処理部１２０は、測位データ（センサーの出力に基づき生成された情報、入力情報の一例）に含まれる現在位置と、時刻データに含まれる現在
時刻（センサーの出力に基づき生成された情報、入力情報の一例）と、日の出日の入りデータ１３６とに基づき、現在時刻の属する日付けにおける日の出時刻及び日の入り時刻を算出する。
【０１１７】
日の出日の入りデータ１３６は、現在時刻及び現在位置と、日の出時刻及び日の入り時刻との関係を示すデータであって、テーブル、計算式、又はそれらの組み合わせで構成される。なお、現在時刻及び現在位置から日の出時刻及び日の入り時刻を算出するための演算（天文演算）の内容は公知であるので、ここでは日の出日の入りデータ１３６の詳細な説明を省略する。
【０１１８】
日の出日の入りデータ１３６は、例えば、電子機器１の記憶部１３０に予め書き込まれる。但し、日の出日の入りデータ１３６は、地形データ（オープン度マップ）等と共にサーバー４から提供されたものであってもよい。また、日の出日の入りデータ１３６は、基本的に書き換えの必要が無いので、記憶部１３０に予め書き込まれる場合には、記憶部１３０における書き込み先は、不揮発性のＲＡＭのほか、ＲＯＭであっても構わない。
【０１１９】
ここで、本実施形態で用いられる日の出日の入りデータ１３６は、現在位置が平坦な開けた場所であるとの前提で用意されたデータであると仮定する。つまり、日の出日の入りデータ１３６に基づき算出される日の出時刻は、「海抜ゼロメートル地点の開けた場所に居るユーザーから見える日の出の時刻」であり、日の出日の入りデータ１３６に基づき算出される日の入り時刻は「海抜ゼロメートル地点の開けた場所に居るユーザーから見える日の入りの時刻」である。言い換えると、日の出日の入りデータ１３６は、現在位置の緯度および経度における、海抜ゼロメートル地点の、周辺地形を考慮しない日の出日の入り時刻のデータである。
【０１２０】
以下、日の出日の入りデータ１３６に基づき算出される日の入り時刻を「標準の日の出時刻」と称し、日の出日の入りデータ１３６に基づき算出される日の入り時刻を「標準の日の入り時刻」と称し、標準の日の入り時刻から標準の日の出時刻までの期間に設定された点灯許可期間を「標準の点灯許可期間」と称し、標準の点灯許可期間の開始時刻を「標準の開始時刻」と称し、標準の点灯許可期間の終了時刻を「標準の終了時刻」と称す。
【０１２１】
１−８．ナイトモード機能の調節について
以下、ナイトモード機能の調節の必要性について説明する。ナイトモード機能における点灯許可期間は、以下の理由により、適宜に調節する必要がある。
【０１２２】
図６は、ユーザーの置かれた環境と太陽の見え方との関係を説明する図である。
【０１２３】
先ず、図６（Ａ１）に示すとおり、ユーザーが山頂にいるときには、地表（山のふもと）にいるときよりも遠くの地平線が見えるため、実際の日の出時刻は、標準の日の出時刻よりも早まり、実際の日の入り時刻は、標準の日の入り時刻よりも遅くなる。
【０１２４】
従って、このような環境下に置かれたユーザーにとっては、点灯許可期間の終了時刻は、標準の終了時刻よりも早めに設定されることが望ましく、点灯許可期間の開始時刻は、標準の開始時刻よりも遅めに設定されることが望ましい。
【０１２５】
次に、図６（Ｂ１）に示すとおり、ユーザーが開けた場所（海抜ゼロメートル付近）にいるときには、実際の日の出時刻は、標準の日の出時刻と一致し、実際の日の入り時刻は、標準の日の入り時刻と一致する。
【０１２６】
従って、このような環境下に置かれたユーザーにとっては、点灯許可期間の終了時刻は
、標準の終了時刻と同じに設定されることが望ましく、点灯許可期間の開始時刻は、標準の開始時刻と同じに設定されることが望ましい。
【０１２７】
次に、図６（Ｃ１）に示すとおり、ユーザーが谷間にいるときには、地平線が見えないため、実際の日の出時刻は、標準の日の出時刻よりも遅延し、実際の日の入り時刻は、標準の日の入り時刻よりも早まる。
【０１２８】
従って、このような環境下に置かれたユーザーにとっては、点灯許可期間の終了時刻は、標準の終了時刻よりも遅めに設定されることが望ましく、点灯許可期間の開始時刻は、標準の開始時刻よりも早めに設定されることが望ましい。
【０１２９】
更に、ユーザーが日中の山頂にいるときであっても、晴天時（図６（Ａ１））と雲天時（図６（Ａ２））とでは、ユーザーの近辺の明るさは異なる。具体的には、晴天時（図６（Ａ１））よりも雲天時（図６（Ａ２））の方がユーザーの近辺は暗くなる。よって、ユーザーが山頂に居るときの点灯許可期間は、晴天時（図６（Ａ１））よりも雲天時（図６（Ａ２））の方が長く確保されることが望ましい。
【０１３０】
また、ユーザーが日中の開けた場所にいるときであっても、晴天時（図６（Ｂ１））と雲天時（図６（Ｂ２））とでは、ユーザーの近辺の明るさは異なる。具体的には、晴天時（図６（Ｂ１））よりも雲天時（図６（Ｂ２））の方がユーザーの近辺は暗くなる。よって、ユーザーが開けた場所にいときの点灯許可期間は、晴天時（図６（Ｂ１））よりも雲天時（図６（Ｂ２））の方が長く確保されることが望ましい。
【０１３１】
また、ユーザーが日中の谷間にいるときであっても、晴天時（図６（Ｃ１））と雲天時（図６（Ｃ２））とでは、ユーザーの近辺の明るさは異なる。具体的には、晴天時（図６（Ｃ１））よりも雲天時（図６（Ｃ２））の方がユーザーの近辺は暗くなる。よって、ユーザーが谷間にいるときの点灯許可期間は、晴天時（図６（Ｃ１））よりも雲天時（図６（Ｃ２））の方が長く確保されることが望ましい。
【０１３２】
１−９．ナイトモードの手動調節
そこで、本実施形態の電子機器１の処理部１２０は、ナイトモードにおける点灯許可期間を、ユーザーに手動で調節させる。以下、調節前の点灯許可期間を「標準の点灯許可期間」と称し、調節後の点灯許可期間を適宜、「調節後の点灯許可期間」又は「点灯許可期間」と称し、調節後の点灯許可期間の開始時刻を「開始時刻」と称し、調節後の点灯許可期間の終了時刻を「終了時刻」と称す。
【０１３３】
例えば、処理部１２０は、基本的には、点灯許可期間を標準の点灯許可期間と同じに設定し、ユーザーからの指示があった場合に、点灯許可期間の開始時刻と終了時刻との少なくとも一方を、例えば以下の調節方法（１）〜（７）の少なくとも１つにより調節し、調節後の点灯許可期間を、実際の動作（オート通知など）に用いる。なお、当該調節後の点灯許可期間が用いられるのは、基本的に、ナイトモードの自動調節機能がオフされているか、ナイトモードの自動調節機能が電子機器１に搭載されていないときである（但し、ナイトモードの手動調節機能がナイトモードの自動調節機能より優先して発現する電子機器１を構成することも可能である。）。
【０１３４】
（１）点灯許可期間の長さ調節
電子機器１の処理部１２０は、標準の点灯許可期間を「長め」に調節するのか、それとも「短め」に調節するのかの別（ユーザーから入力された情報の一例）をユーザーに指定させる。この指定は、例えば、メニュー画面において行われる。また、ユーザーによる指定は、操作部１５０を介して行われる。
【０１３５】
そして、ユーザーが「長め」を指定した場合、処理部１２０は、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する（図７の符号Δを参照）。
【０１３６】
一方、ユーザーが「短め」を指定した場合、処理部１２０は、点灯許可期間の開始時刻を、標準の開始時刻よりも所定の調節量Δだけ遅い時刻へと調節し、かつ、調節後の点灯許可期間の終了時刻を、標準の終了時刻よりも所定の調節量Δだけ早い時刻へと調節する。
【０１３７】
なお、ここでは、調節量Δが正の値であるとしたが、「変更しない」選択肢があってもよく、「変更しない」場合には調節量Δはゼロであってもよい。また、調節量Δに負の値が含まれたり、開始時刻と終了時刻とで異なる値であってもよい。
【０１３８】
（２）点灯開始時刻の調節
電子機器１の処理部１２０は、点灯許可期間の開始時刻を「早め」にするのか、それとも「遅め」にするのかの別（ユーザーから入力された入力情報の一例）をユーザーに指定させる。この指定は、例えば、メニュー画面において行われる。また、ユーザーによる指定は、操作部１５０を介して行われる。
【０１３９】
そして、ユーザーが「早め」を指定した場合、処理部１２０は、点灯許可期間の開始時刻を、標準の開始時刻よりも所定の調節量Δだけ早い時刻へと調節する。
【０１４０】
一方、ユーザーが「遅め」を指定した場合、処理部１２０は、点灯許可期間の開始時刻を、標準の開始時刻よりも所定の調節量Δだけ遅い時刻へと調節する。
【０１４１】
なお、調節方法（２）は、調節方法（３）と併せて採用されることが好ましい。
【０１４２】
また、ここでは、調節量Δが正の値であるとしたが、「変更しない」選択肢があってもよく、「変更しない」場合には調節量Δはゼロであってもよい。また、調節量Δに負の値が含まれたり、開始時刻と終了時刻とで異なる値であってもよい。
【０１４３】
（３）点灯終了時刻の調節
電子機器１の処理部１２０は、点灯許可期間の終了時刻を標準の終了時刻よりも「早め」にするのか、それとも「遅め」にするのかの別（ユーザーから入力された入力情報の一例）をユーザーに指定させる。この指定は、例えば、メニュー画面において行われる。また、ユーザーによる指定は、操作部１５０を介して行われる。
【０１４４】
そして、ユーザーが「早め」を指定した場合、処理部１２０は、点灯許可期間の終了時刻を、標準の終了時刻よりも所定の調節量Δだけ早い時刻へと調節する。
【０１４５】
一方、ユーザーが「遅め」を指定した場合、処理部１２０は、点灯許可期間の終了時刻を、標準の終了時刻よりも所定の調節量Δだけ遅い時刻へと調節する。
【０１４６】
なお、調節方法（３）は、調節方法（２）と併せて採用されることが望ましい。
【０１４７】
また、ここでは、調節量Δが正の値であるとしたが、「変更しない」選択肢があってもよく、「変更しない」場合には調節量Δはゼロであってもよい。また、調節量Δに負の値が含まれたり、開始時刻と終了時刻とで異なる値であってもよい。
【０１４８】
（４）数値入力
電子機器１の処理部１２０は、調節方法（１）、調節方法（２）、調節方法（３）の何れかにおける調節量の値を、ユーザーに入力させることができる。この調節量（ユーザーから入力された入力情報の一例）の入力は、例えば、メニュー画面において行われる。また、ユーザーによる入力は、操作部１５０を介して行われる。
【０１４９】
例えば、調節方法（１）において、ユーザーが「＋１時間」を入力した場合、処理部１２０は、点灯許可期間の開示時刻を、標準の開始時刻よりも１時間だけ早い時刻へと調節し、かつ、点灯許可期間の終了時刻を、標準の終了時刻よりも１時間だけ遅い時刻へと調節する。
【０１５０】
例えば、調節方法（１）において、ユーザーが「−１時間」を入力した場合、処理部１２０は、点灯許可期間の開示時刻を、標準の開始時刻よりも１時間だけ遅い時刻へと調節し、かつ、点灯許可期間の終了時刻を、標準の終了時刻よりも１時間だけ早い時刻へと調節する。
【０１５１】
例えば、調節方法（２）において、ユーザーが「＋１時間」を入力した場合、処理部１２０は、点灯許可期間の開始時刻を、標準の開始時刻よりも１時間だけ早い時刻へと調節する。
【０１５２】
例えば、調節方法（２）において、ユーザーが「−１時間」を入力した場合、処理部１２０は、点灯許可期間の開始時刻を、標準の開始時刻よりも１時間だけ遅い時刻へと調節する。
【０１５３】
例えば、調節方法（３）において、ユーザーが「＋１時間」を入力した場合、処理部１２０は、点灯許可期間の終了時刻を、標準の終了時刻よりも１時間だけ遅い時刻へと調節する。
【０１５４】
例えば、調節方法（３）において、ユーザーが「−１時間」を入力した場合、処理部１２０は、点灯許可期間の終了時刻を、標準の終了時刻よりも１時間だけ早い時刻へと調節する。
【０１５５】
（５）環境入力（地形）
電子機器１の処理部１２０は、電子機器１の使用される環境が「開けた場所」であるか、それとも「開けていない場所」であるのかの別（ユーザーから入力された入力情報、ユーザーの置かれた環境に関する情報、地形に関する情報の一例）を、ユーザーに指定させる。この指定は、例えば、メニュー画面において行われる。また、ユーザーによる指定は、操作部１５０を介して行われる。
【０１５６】
そして、ユーザーが「開けていない場所」を指定した場合、処理部１２０は、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する。
【０１５７】
一方、ユーザーが「開けた場所」を指定した場合、処理部１２０は、点灯許可期間の開始時刻を、標準の開始時刻よりも所定の調節量Δだけ遅い時刻へと調節し、かつ、点灯許可期間の終了時刻を、標準の終了時刻よりも所定の調節量Δだけ早い時刻へと調節する。
【０１５８】
なお、ここでは、ユーザーが指定可能な環境の項目を、「開けた場所」、「開けていな
い場所」としたが、その他に、「ビル街」、「オープン」、「谷間」、「山頂」、「稜線」、「海岸」、「山に囲まれている」、「山に囲まれていない」、「標高１０００ｍ以上の山頂付近」などの何れかを加えたり、これらのいずれかの組み合わせであってもよい。少なくとも、ユーザーが指定可能な環境の項目は、実際の日の出時刻と標準の日の出時刻とのずれ、及び、実際の日の入り時刻と標準の日の入り時刻とのずれを推測するために必要な項目であることが望ましい。
【０１５９】
なお、ここでは、調節量Δが正の値であるとしたが、「変更しない」選択肢があってもよく、「変更しない」場合には調節量Δはゼロであってもよい。また、調節量Δに負の値が含まれたり、開始時刻と終了時刻とで異なる値であってもよい。
【０１６０】
（６）環境入力（気候）
電子機器１の処理部１２０は、電子機器１の使用される環境が「晴天」であるか、それとも「曇天」であるのかの別（ユーザーから入力された入力情報、ユーザーの置かれた環境に関する情報、気候に関する情報の一例）を、ユーザーに指定させる。この指定は、例えば、メニュー画面において行われる。また、ユーザーによる指定は、操作部１５０を介して行われる。
【０１６１】
そして、ユーザーが「曇天」を指定した場合、処理部１２０は、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する。
【０１６２】
一方、ユーザーが「晴天」を指定した場合、処理部１２０は、点灯許可期間の開始時刻を、標準の開始時刻よりも所定の調節量Δだけ遅い時刻へと調節し、かつ、点灯許可期間の終了時刻を、標準の終了時刻よりも所定の調節量Δだけ早い時刻へと調節する。
【０１６３】
なお、ここでは、ユーザーが指定可能な環境の項目を、「晴天」、「曇天」としたが、その他に、「雨天」、「弱い雨」などの何れかを加えてもよいし、ユーザーが指定可能な環境の項目に、他の項目を加えてもよい。少なくとも、ユーザーが指定可能な環境の項目は、実際の日の出時刻と標準の日の出時刻とのずれ、及び、実際の日の入り時刻と標準の日の入り時刻とのずれを推測するために必要な項目であることが望ましい。
【０１６４】
なお、ここでは、調節量Δが正の値であるとしたが、「変更しない」選択肢があってもよく、「変更しない」場合には調節量Δはゼロであってもよい。また、調節量Δに負の値が含まれたり、開始時刻と終了時刻とで異なる値であってもよい。
【０１６５】
（７）環境入力（地形及び気候）
調節方法（７）は、調節方法（５）、（６）を組み合わせたものである。つまり、処理部１２０は、地形に関する項目と気候に関する項目との双方をユーザーに指定させる。
【０１６６】
処理部１２０は、地形に関する項目によって決まる「オープン度」と、気候に関する項目によって決まる「明るさ度」との組み合わせによって、調節量Δを設定する。
【０１６７】
例えば、処理部１２０は、ユーザーの指定した地形が遠くの地平線が見える地形であるときほどオープン度が高いとみなし、ユーザーの指定した気候が明るい時間が長い気候であるときほど明るさ度が高いとみなす。そして、処理部１２０は、オープン度と明るさ度との組み合わせに応じて調節量Δを設定する。具体的に、調節量Δは、オープン度が低いほど大きく設定され、明るさ度が低いほど大きく設定される。
【０１６８】
例えば、処理部１２０は、オープン度と明るさ度との組み合わせに応じて図１０に示す
算出テーブルを参照することにより、調節量Δを決定し、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する。
【０１６９】
従って、調節量Δが正の値（プラスの値）である場合には、点灯許可期間は拡大され、調節Δが負の値（マイナスの値）である場合には、点灯許可期間は縮小されることになる。
【０１７０】
なお、算出テーブル（図１０）を用いた調節の詳細については、「ナイトモードの自動調節」において説明する。この算出テーブル（図１０）では、調節量Δが正の値になる場合と負の値になる場合との双方を想定している。
【０１７１】
１−９．地形データ及び天候データによるナイトモードの自動調節
以下、ナイトモードの自動調節機能を説明する。この自動調節機能は、前述した調節方法（７）を自動化したものである。
【０１７２】
１−９−１．地形データ（オープン度マップ）
図８は、記憶部１３０に格納された地形データ（オープン度マップ）の一例を説明する図である（地形データは、受信した情報、地形に関する情報、入力情報の一例。）。図８においては、例えば、縦方向が緯度方向に対応し、横方向が経度方向に対応する。
【０１７３】
この地形データ（オープン度マップ）は、サーバー４から提供されたものであって、ユーザーの走行コースを包含するエリアのマップである。
【０１７４】
図８に示すとおり、地形データ（オープン度マップ）には、エリアの地形（標高分布）が反映されている。但し、本実施形態の地形データ（オープン度マップ）は、エリアの標高分布をエリアのオープン度の分布に変換したものであると仮定する。つまり、図８における「低」「高」「中」は、エリア内の各地点の標高を示しているのではなく、エリア内の各地点のオープン度を表す。
【０１７５】
なお、標高分布から地形データ（オープン度マップ）への変換は、例えばサーバー４によって予め行われてもよいし、情報端末２のアプリケーションウエアが実行してもよいし、処理部１２０が実行してもよい。また、標高に加えて、建造物等の高さを考慮しても良い。例えば、変換の際に、サーバー４は、エリア内の各地点のオープン度を、当該地点の標高と、当該地点の周辺に存在する建造物（地点）から当該標高までの高低差とに基づき、当該地点が開けた地点である場合には、オープン度を高く設定し、当該地点が開けていない地点である場合には、オープン度を低く設定する。
【０１７６】
処理部１２０は、ＧＰＳセンサー１１０が出力する測位データに基づき現在位置を認識すると、当該現在位置に応じて地形データ（オープン度マップ）を参照することにより、現在位置におけるオープン度を算出する。
【０１７７】
１−９−２．気候データ（明るさ度マップ）
図９は、記憶部１３０に格納された気候データ（明るさ度マップ）の一例を説明する図である（気候データは、受信した情報、天候に関する情報、入力情報の一例。）。図９においては、例えば、縦方向が緯度方向に対応し、横方向が経度方向に対応する。
【０１７８】
この地形データ（オープン度マップ）は、サーバー４から提供されたものであって、ユーザーの走行コースを包含するエリアのマップである。
【０１７９】
図９に示すとおり、気候データ（明るさ度マップ）には、エリアの気候（雲の分布）が反映されている。但し、本実施形態の気候データ（明るさ度マップ）は、エリアの雲の分布をエリアの明るさ度の分布に変換したものであると仮定する。つまり、図９における「低」「高」「中」は、エリア内の各地点の雲の厚さ示しているのではなく、エリア内の各地点の明るさ度を表す。
【０１８０】
なお、雲の分布から気候データ（明るさ度マップ）への変換は、例えばサーバー４によって予め行われてもよいし、情報端末２のアプリケーションウエアが実行してもよいし、処理部１２０が実行してもよい。例えば、変換の際に、サーバー４は、エリア内の各地点の明るさ度を、当該地点に存在する雲の厚さ、当該地点の気圧などに基づき、当該地点が明るい地点である場合には、明るさ度を高く設定し、当該地点が明るくない地点である場合には、明るさ度を低く設定する。
【０１８１】
処理部１２０は、ＧＰＳセンサー１１０が出力する測位データに基づき現在位置を認識すると、当該現在位置に応じて気候データ（明るさ度マップ）を参照することにより、現在位置における明るさ度を算出する。
【０１８２】
１−９−３．調節量Δの算出テーブル
図１０は、調節量Δの算出テーブルの一例を説明する図である。算出テーブルは、例えば、記憶部１３０に予め格納されている（図２では不図示）。
【０１８３】
この算出テーブルは、現在位置のオープン度と明るさ度との組み合わせから前述した調節量Δを一義的に算出するための算出テーブルである。
【０１８４】
図１０に示すとおり、この算出テーブルには、オープン度と明るさ度との組み合わせごとに、当該組み合わせに適した調節量Δの値が対応付けられている。この算出テーブルによると、オープン度が低いほど調節量Δは大きな値に設定され、明るさ度が低いほど調節量Δは大きな値に設定される。
【０１８５】
処理部１２０は、現在位置のオープン度と、現在位置の明るさ度とをそれぞれ認識すると、認識したオープン度及び明るさ度に応じて算出テーブル（図１０）を参照することにより、現在位置に適した調節量Δを算出する。
【０１８６】
そして、処理部１２０は、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する。
【０１８７】
従って、調節量Δが正の値（プラスの値）である場合には、点灯許可期間は拡大され、調節Δが負の値（マイナスの値）である場合には、点灯許可期間は縮小されることになる。
【０１８８】
１−１０．フロー
図１１は、ナイトモード機能及びオートラップ機能がオンされた場合における電子機器１の処理のフローチャートである。以下、図１１における各処理を順に説明する。なお、ここでは、ナイトモードの自動調節機能がオンされている場合を想定する。
【０１８９】
先ず、電子機器１の処理部１２０は、ユーザーから計測開始指示が入力されたか否かを判定し（Ｓ１１）、入力されない場合（Ｓ１１Ｎ）には待機する。
【０１９０】
その後、計測開始指示が入力されると（Ｓ１１Ｙ）、処理部１２０は、ラップ区間の計
測を開始する（Ｓ１２）。ここで、ラップ区間の計測とは、先のラップ区切りから次のラップ区切りまでの間におけるラップ情報を生成するための処理のことである。例えば、ラップ区間が「１ｋｍ区間」に設定されている場合は、１ｋｍ区間の区切りにおいて通知又は記録すべきラップ情報（ラップタイム、ラップペース、ラップ心拍数、それらの目標達成度など）を生成するための処理のことである（以下、ラップ区間を「１ｋｍ区間」と仮定する。）。
【０１９１】
次に、処理部１２０は、最新の測位データに含まれる現在位置と、最新の時刻データに含まれる現在時刻と、日の出日の入りデータ１３６とに基づき、標準の点灯許可期間（標準の開始時刻及び標準の終了時刻）を算出する（Ｓ１３）。なお、当初の点灯許可期間は、標準の点灯許可期間と同じに設定される。
【０１９２】
次に、処理部１２０は、計時部１６０の時刻データに含まれる現在時刻が準備期間に属するか否かを判定する（Ｓ１５）。ここで、準備期間は、設定中の点灯許可期間の開始時刻前後の所定時間、及び、設定中の点灯許可期間の終了時刻前後の所定時間のことである。例えば、処理部１２０は、開始時刻前後の３時間と、終了時刻前後の３時間とを準備期間とする。
【０１９３】
そして、処理部１２０は、現在時刻が準備期間に属する場合（Ｓ１５Ｙ）には、調節処理（Ｓ１７〜Ｓ２３）を開始し、そうでない場合（Ｓ１５Ｎ）には、調節処理（Ｓ１７〜Ｓ２３）を実行せずに、ラップ区切りの判定処理（Ｓ２７）を開始する。
【０１９４】
次に、調節処理（Ｓ１７〜Ｓ２３）が開始されると、先ず、処理部１２０は、現在位置と地形データ（オープン度マップ）とに基づき現在位置のオープン度を算出する（Ｓ１７）。
【０１９５】
次に、処理部１２０は、現在位置と気候データ（明るさ度マップ）とに基づき現在位置の明るさ度を算出する（Ｓ１９）。
【０１９６】
次に、処理部１２０は、算出したオープン度及び算出した明るさ度に基づき算出テーブル（図１０）を参照することにより、現在位置に適した調節量Δを算出する（Ｓ２１）。
【０１９７】
次に、処理部１２０は、算出した調整量Δに応じて点灯許可期間を調節する（Ｓ２３）。点灯許可期間の調節方法については、前述したとおりである。
【０１９８】
次に、ラップ区切りの判定処理（Ｓ２７）が開始されると、処理部１２０は、前回のラップ区切りの時点（又は開始指示が入力されたとき時点）から現在時点までの累積移動距離が１ｋｍに達したか否かを判定し（Ｓ２７）、達した場合（Ｓ２７Ｙ）には、通知処理（Ｓ２９〜Ｓ３３）を開始し、そうでない場合（Ｓ２７Ｎ）には、通知処理（Ｓ２９〜Ｓ３３）をスキップして終了判定処理（Ｓ３５）へ移行する。
【０１９９】
通知処理（Ｓ２９〜Ｓ３３）が開始されると、先ず、処理部１２０は、計時部１６０の時刻データに含まれる現在時刻が設定中の点灯許可期間に属するか否かを判定し（Ｓ２９）、属する場合（Ｓ２９Ｙ）には、バックライト１７０Ａの点灯を伴う通知処理（Ｓ３１）を開始し、そうでない場合（Ｓ２９Ｎ）には、バックライト１７０Ａの点灯を伴わない通知処理（Ｓ３３）を開始する。
【０２００】
バックライト１７０Ａの点灯を伴う通知処理（Ｓ３１）が開始されると、処理部１２０は、表示部１７０のバックライト１７０Ａを一定時間（例えば２秒間）に亘り点灯し、かつ、最新ラップ区間におけるラップ情報（ラップタイム、ラップペース、ラップ心拍数、
それらの目標達成度など）をユーザーへ通知し、かつ、ユーザーパフォーマンスデータ１３３へ記録する。ユーザーに対するラップ情報の通知は、主に、表示部１７０に対するイメージの表示によって行われるが、音や振動の出力（報知）を伴ってもよい。その後、処理部１２０は、終了判定処理（Ｓ３５）へ移行する。
【０２０１】
バックライト１７０Ａの点灯を伴わない通知処理（Ｓ３３）が開始されると、処理部１２０は、表示部１７０のバックライト１７０Ａを点灯せずに、最新ラップ区間におけるラップ情報（ラップタイム、ラップペース、ラップ心拍数、それらの目標達成度など）をユーザーへ通知し、かつ、ユーザーパフォーマンスデータ１３３へ記録する。ユーザーに対するラップ情報の通知は、主に、表示部１７０に対するイメージの表示によって行われるが、音や振動の出力（報知）を伴ってもよい。その後、処理部１２０は、終了判定処理（Ｓ３５）へ移行する。
【０２０２】
終了判定処理（Ｓ３５）が開始されると、処理部１２０は、ユーザーから計測終了指示が入力されたか否かを判定し（Ｓ３５）、入力されない限り（Ｓ３５Ｎ）、以上のステップＳ１３〜Ｓ３３を繰り返す。
【０２０３】
その後、ユーザーから計測終了指示が入力された場合（Ｓ３５Ｙ）に、処理部１２０はフローを終了する。
【０２０４】
なお、以上のフローにおけるステップの順序は、可能な範囲で入れ替えが可能である。
【０２０５】
１−１１．第１実施形態の補足
本実施形態の処理部１２０は、点灯許可期間の開始時刻の属する準備期間（開始の準備期間）と、点灯許可期間の終了時刻の属する準備期間（終了の準備期間）とで同じ処理を行ったが、異なる処理を行ってもよい。
【０２０６】
例えば、処理部１２０は、開始の準備期間では、点灯許可期間の開示時刻と終了時刻とのうち開始時刻のみを調節し、終了の準備期間では、点灯許可期間の開始時刻と終了時刻とのうち終了時刻のみを調節してもよい。
【０２０７】
また、本実施形態の処理部１２０は、準備期間のうち点灯許可期間に近い時期と遠い時期との間で点灯許可期間の見直しの頻度（ステップＳ１７〜Ｓ２３の実行頻度）を変えてもよい。例えば、点灯許可期間に近い時期には、点灯許可期間の見直しの頻度（ステップＳ１７〜Ｓ２３の実行頻度）を高く設定し、点灯許可期間から遠い時期には、点灯許可期間の見直しの頻度（ステップＳ１７〜Ｓ２３の実行頻度）を低く設定してもよい。
【０２０８】
１−１２．第１実施形態の作用効果
以上説明したとおり、本実施形態の電子機器１は、表示部１７０と、処理部１２０とを含み、処理部１２０は、標準の日の入りから標準の日の出までの期間におけるバックライト１７０Ａの点灯頻度又は点灯輝度を、標準の日の出から標準の日の入りまでの期間における前記表示部の照明の点灯頻度又は点灯輝度よりも向上させるナイトモードで動作する。よって、本実施形態の電子機器１は、日中における表示部１７０の消費電力の抑制と、夜間における表示部１７０の視認性の確保とを両立することが可能である。
【０２０９】
但し、ユーザーの置かれた環境によっては、ユーザーの周辺が暗くなり始めるタイミングが日の入り時刻に必ずしも一致せず、また、ユーザーの周辺が明るくなり始めるタイミングが日の出時刻に必ずしも一致しない。例えば、ユーザーが山頂にいるとビル街にいるときとでは、ユーザーの位置に到達可能な太陽光の角度範囲が異なるため１日のうち明るい時間帯の長さが異なる。また、例えば、ユーザーの周辺が晴天であるときと曇天である
ときとでは、ユーザーの位置に到達可能な太陽光の光量が異なるため１日のうち表示部の視認性を確保できる時間帯の長さが異なる。このため、ユーザーの置かれた環境によっては、点灯許可期間の開始時刻または終了時刻が不適切となり得る。
【０２１０】
しかし、本実施形態の処理部１２０は、ナイトモードにおいて点灯許可期間の開始時刻または終了時刻を、入力情報に応じて調節可能である。したがって、本実施形態の電子機器１は、点灯許可期間の開始時刻または終了時刻が不適切となることを防ぐことができる。
【０２１１】
２．第２実施形態
上述した第１実施形態の電子機器１は、ナイトモードの自動調節を地形データ（オープン度マップ）及び気候データ（明るさデータ）に基づき行ったが、センサーの出力に基づき行うことも可能である。以下、センサーの出力に基づく場合の実施形態を第２実施形態として説明する。ここでは、第１実施形態との相違点を主に説明し、共通の構成については共通の符号を付し、詳細な説明を省略する。また、第１実施形態における要素と共通の要素については、共通の符号を付して説明する。
【０２１２】
２−１．電子機器の構成
図１２は、第２実施形態の電子機器を含むシステムの構成を説明するための機能ブロック図である。図１２において、図２に示す要素と同じものについては同じ符号を付してある。
【０２１３】
図１２に示すとおり、本実施形態の電子機器１’（携帯型電子機器の一例）は、第１実施形態の電子機器１において、照度センサー１１６１が付加されたものである。また、本実施形態の電子機器１’の記憶部１３０には、地形データ（オープン度マップ）１３７、気候データ（明るさ度マップ）１３８が格納されていることは必須ではない。
【０２１４】
照度センサー１１６１は、例えば表示部１７０の近傍に設けられ、外界からの入射光量に基づき、ユーザーの置かれた環境の明るさのデータ（センサーの出力に基づき生成された情報の一例）を生成するセンサーである。
【０２１５】
処理部１２０は、照度センサー１１６１のデータに基づき環境の明るさを検出し、当該明るさに基づき、点灯許可期間を調節する。例えば、明るさが所定の閾値を下回った場合には、点灯許可期間を所定の調節量Δだけ拡大し、明るさが所定の閾値を上回った場合には、点灯許可期間を縮小する。
【０２１６】
例えば、明るさが所定の閾値を下回った場合、処理部１２０は、点灯許可期間の開始時刻を、標準の開始時刻よりも所定の調節量Δだけ早い時刻へと調節し、かつ、点灯許可期間の終了時刻を、標準の終了時刻よりも所定の調節量Δだけ遅い時刻へと調節する（図７の符号Δを参照）。
【０２１７】
一方、明るさが所定の閾値を上回った場合、処理部１２０は、点灯許可期間の開始時刻を、標準の開始時刻よりも所定の調節量Δだけ遅い時刻へと調節し、かつ、調節後の点灯許可期間の終了時刻を、標準の終了時刻よりも所定の調節量Δだけ早い時刻へと調節する。
【０２１８】
一方、明るさが所定の閾値と同等であった場合、処理部１２０は、調節量Δをゼロとする。つまり点灯許可期間を、標準の点灯許可期間と同じに設定する。
【０２１９】
なお、本実施形態の処理部１２０は、明るさの閾値及び調節量Δを、現在時刻と標準の
点灯許可期間とに応じて適切に調節するものとする。
【０２２０】
具体的に、処理部１２０は、現在時刻が開始の準備期間に属するときには、現在時刻から標準の開始時刻までの残り時間が長く明るさが低いときほど、早めに点灯開始時刻が到来するように調節を行う。
【０２２１】
また、処理部１２０は、現在時刻が終了の準備期間に属するときには、現在時刻から標準の終了時刻までの残り時間が長く明るさが低いときときほど、遅めに点灯終了時刻が到来するように調節を行う。
【０２２２】
２−２．フロー
図１３は、ナイトモード機能及びオートラップ機能がオンされた場合における電子機器１の処理のフローチャートである。以下、図１３における各処理を順に説明する。なお、ここでは、ナイトモードの自動調節機能がオンされている場合を想定する。また、図１３において、図１１に示すステップと同じものには同一の符号を付した。
【０２２３】
先ず、電子機器１の処理部１２０は、ユーザーから計測開始指示が入力されたか否かを判定し（Ｓ１１）、入力されない場合（Ｓ１１Ｎ）には待機する。
【０２２４】
その後、計測開始指示が入力されると（Ｓ１１Ｙ）、処理部１２０は、ラップ区間の計測を開始する（Ｓ１２）。ここで、ラップ区間の計測とは、先のラップ区切りから次のラップ区切りまでの間におけるラップ情報を生成するための処理のことである。例えば、ラップ区間が「１ｋｍ区間」に設定されている場合は、１ｋｍ区間の区切りにおいて通知又は記録すべきラップ情報（ラップタイム、ラップペース、ラップ心拍数、それらの目標達成度など）を生成するための処理のことである（以下、ラップ区間を「１ｋｍ区間」と仮定する。）。
【０２２５】
次に、処理部１２０は、最新の測位データに含まれる現在位置と、最新の時刻データに含まれる現在時刻と、日の出日の入りデータ１３６とに基づき、標準の点灯許可期間（標準の開始時刻及び標準の終了時刻）を算出する（Ｓ１３）。なお、当初の点灯許可期間は、標準の点灯許可期間と同じに設定される。
【０２２６】
次に、処理部１２０は、計時部１６０の時刻データに含まれる現在時刻が準備期間に属するか否かを判定する（Ｓ１５）。ここで、準備期間は、設定中の点灯許可期間の開始時刻前後の所定時間、及び、設定中の点灯許可期間の終了時刻前後の所定時間のことである。例えば、処理部１２０は、開始時刻前後の３時間と、終了時刻前後の３時間とを準備期間とする。
【０２２７】
そして、処理部１２０は、現在時刻が準備期間に属する場合（Ｓ１５Ｙ）には、調節処理（Ｓ１７〜Ｓ２３）を開始し、そうでない場合（Ｓ１５Ｎ）には、調節処理（Ｓ１７〜Ｓ２３）を実行せずに、ラップ区切りの判定処理（Ｓ２７）を開始する。
【０２２８】
次に、調節処理（Ｓ１７’〜Ｓ２３’）が開始されると、先ず、処理部１２０は、照度センサー１１６１をオンする（Ｓ１７’）。「照度センサー１１６１をオンする」とは、バッテリー１９１からの電力を照度センサー１１６１に供給することを意味する。
【０２２９】
次に、処理部１２０は、照度センサー１１６１の出力に基づき現在位置の明るさを検出し、当該明るさ等に基づき調節量Δを算出する（Ｓ１９’）。調整量Δの算出方法については、前述したとおりである。
【０２３０】
次に、処理部１２０は、照度センサー１１６１をオフする（Ｓ２１’）。「照度センサー１１６１をオフする」とは、バッテリー１９１からの照度センサー１１６１への電力供給を停止することを意味する。
【０２３１】
次に、処理部１２０は、算出した調整量Δに応じて点灯許可期間を調節する（Ｓ２３’）。点灯許可期間の調節方法については、前述したとおりである。
【０２３２】
次に、ラップ区切りの判定処理（Ｓ２７）が開始されると、処理部１２０は、前回のラップ区切りの時点（又は開始指示が入力されたとき時点）から現在時点までの累積移動距離が１ｋｍに達したか否かを判定し（Ｓ２７）、達した場合（Ｓ２７Ｙ）には、通知処理（Ｓ２９〜Ｓ３３）を開始し、そうでない場合（Ｓ２７Ｎ）には、通知処理（Ｓ２９〜Ｓ３３）をスキップして終了判定処理（Ｓ３５）へ移行する。
【０２３３】
通知処理（Ｓ２９〜Ｓ３３）が開始されると、先ず、処理部１２０は、計時部１６０の時刻データに含まれる現在時刻が設定中の点灯許可期間に属するか否かを判定し（Ｓ２９）、属する場合（Ｓ２９Ｙ）には、バックライト１７０Ａの点灯を伴う通知処理（Ｓ３１）を開始し、そうでない場合（Ｓ２９Ｎ）には、バックライト１７０Ａの点灯を伴わない通知処理（Ｓ３３）を開始する。
【０２３４】
バックライト１７０Ａの点灯を伴う通知処理（Ｓ３１）が開始されると、処理部１２０は、表示部１７０のバックライト１７０Ａを一定時間（例えば２秒間）に亘り点灯し、かつ、最新ラップ区間におけるラップ情報（ラップタイム、ラップペース、ラップ心拍数、それらの目標達成度など）をユーザーへ通知し、かつ、ユーザーパフォーマンスデータ１３３へ記録する。ユーザーに対するラップ情報の通知は、主に、表示部１７０に対するイメージの表示によって行われるが、音や振動の出力（報知）を伴ってもよい。その後、処理部１２０は、終了判定処理（Ｓ３５）へ移行する。
【０２３５】
バックライト１７０Ａの点灯を伴わない通知処理（Ｓ３３）が開始されると、処理部１２０は、表示部１７０のバックライト１７０Ａを点灯せずに、最新ラップ区間におけるラップ情報（ラップタイム、ラップペース、ラップ心拍数、それらの目標達成度など）をユーザーへ通知し、かつ、ユーザーパフォーマンスデータ１３３へ記録する。ユーザーに対するラップ情報の通知は、主に、表示部１７０に対するイメージの表示によって行われるが、音や振動の出力（報知）を伴ってもよい。その後、処理部１２０は、終了判定処理（Ｓ３５）へ移行する。
【０２３６】
終了判定処理（Ｓ３５）が開始されると、処理部１２０は、ユーザーから計測終了指示が入力されたか否かを判定し（Ｓ３５）、入力されない限り（Ｓ３５Ｎ）、以上のステップＳ１３〜Ｓ３３を繰り返す。
【０２３７】
その後、ユーザーから計測終了指示が入力された場合（Ｓ３５Ｙ）に、処理部１２０はフローを終了する。
【０２３８】
なお、以上のフローにおけるステップの順序は、可能な範囲で入れ替えが可能である。
【０２３９】
２−３．第２実施形態の補足
以上説明したとおり、本実施形態の電子機器１’は、点灯許可期間の調節に照度センサー１１６１の出力を用いるので、ユーザーの置かれた環境の実際の明るさに柔軟に対応することができる。
【０２４０】
また、本実施形態の電子機器１’は、照度センサー１１６１がオンされる期間を、準備
期間のみに制限しているので、照度センサー１１６１の駆動に要する消費電力を必要最小限に抑えることもできる。
【０２４１】
なお、本実施形態の処理部１２０は、ステップＳ１５〜Ｓ２３’の処理が実行される頻度を低減すること（すなわち照度センサー１１６１が駆動される頻度を低減すること）により、更なる消費電力の削減を図ることもできる。
【０２４２】
また、本実施形態の処理部１２０は、照度センサー１１６１の出力を用いてユーザーの置かれた環境の明るさを検出したが、ユーザーの置かれた環境の明るさを検出する代わりに、気圧センサー１１２の出力と、ＧＰＳセンサー１１０の測位データに含まれる現在位置（高度）とを用いてユーザーの置かれた環境の明るさを推測してもよい。例えば、処理部１２０は、高度に比して気圧が低いときには曇天である（すなわち暗い）と推測し、高度に比して気圧が高いときには晴天である（明るい）と推測することができる。
【０２４３】
また、本実施形態の処理部１２０は、点灯許可期間の開始時刻の属する準備期間（開始の準備期間）と、点灯許可期間の終了時刻の属する準備期間（終了の準備期間）とで、それぞれ以下の処理を行ってもよい。
【０２４４】
例えば、処理部１２０は、開始の準備期間では、検出した明るさが所定の閾値を下回った場合に点灯許可期間を開始すると共に準備期間を中断し、終了の準備期間では、検出した明るさが所定の閾値を上回った場合に点灯許可期間を終了すると共に準備期間を中断してもよい（なお、その場合、閾値を所定値に固定してもよい。）。
【０２４５】
また、本実施形態の処理部１２０は、準備期間のうち点灯許可期間に近い時期と遠い時期との間で点灯許可期間の見直しの頻度（ステップＳ１７’〜Ｓ２３’の実行頻度）を変えてもよい。例えば、点灯許可期間に近い時期には、点灯許可期間の見直しの頻度（ステップＳ１７’〜Ｓ２３’の実行頻度）を高く設定し、点灯許可期間から遠い時期には、点灯許可期間の見直しの頻度（ステップＳ１７’〜Ｓ２３’の実行頻度）を低く設定してもよい。これによって、照度センサー１１６１の駆動に要する消費電力を効率的に削減することができる。
【０２４６】
３．変形例
３−１．点灯パターン
上述した何れかの実施形態の処理部１２０は、オート通知機能により通知される情報の内容によってバックライト１７０Ａの点灯パターンを変えてもよい。例えば、目標ラップタイムよりも実際のラップタイムが短かった場合（目標を達成した場合）と、長かった場合（達成しなかった場合）とで点灯パターンを変えてもよい。
【０２４７】
また、処理部１２０は、目標が達成された場合は、ユーザーが表示部１７０を見るジェスチャーをしたタイミングでバックライト１７０Ａを点灯し、目標が達成されないときには、見るジェスチャーをしたタイミングでなくてもバックライト１７０Ａを常時点灯させ、目標の達成度が著しく低かったとき（又は目標達成度が顕著に高かったとき）には、見るジェスチャーをしたタイミングでなくてもバックライト１７０Ａを常時点滅させてもよい。
【０２４８】
また、上述した何れかの実施形態では、バックライト１７０Ａの光源を複数化し、複数の光源の色を互いに異なる色としてもよい。その場合、処理部１２０は、通知すべき情報の内容に応じて、点灯色を変化させてもよい（表示部１７０をカラーディスプレイで構成して、表示色を変化させてもよい）。
【０２４９】
また、上述した何れかの実施形態の処理部１２０は、バッテリー１９１の残量に応じてバックライト１７０Ａの点灯照度（点灯輝度）を変えてもよい。例えば、残量が少ないときほど段階的に点灯照度が暗くなるようにしてもよい。これによって、更なる省電力が図られる。
【０２５０】
また、上述した何れかの実施形態の処理部１２０は、少なくとも１つのセンサーの出力を基に生成したユーザーパフォーマンスデータに異変がある場合、又は、ユーザーパフォーマンスデータの測定が不能である場合に、バックライト１７０Ａを点灯状態から点滅状態に移行させ、それによってユーザーへの通知を行ってもよい。例えば、脈波が測定できないときには、危険または異常を知らせるためにユーザーへの通知（又はユーザーの周囲への通知）が有効である。
【０２５１】
また、上述した何れかの実施形態の処理部１２０は、電子機器１、１’がいわゆる長時間モードに設定されたときには、電子機器１、１’を自動的に（強制的に）ナイトモードに設定してもよい。「長時間モード」とは、電子機器１、１’の少なくとも一部の要素（回路等）を間欠駆動することで、バッテリー１９１の寿命を延長させるモードである。
【０２５２】
また、上述した第１実施形態の処理部１２０は、測位データに基づき衛星信号（ＧＰＳ信号）の受信環境が不良と判断した場合（受信強度が弱い場合、又は補足衛星数が少ない場合）に、前述したオープン度が低いと判断し、受信環境が良好と判断した場合に、前述したオープン度が高いと判断してもよい。また、第１実施形態の処理部１２０は、受信環境の良否を、バックライト１７０Ａの点灯パターンによりユーザーへ通知してもよい。
【０２５３】
また、上述した何れかの実施形態の処理部１２０は、ユーザーへ通知する情報の内容に応じて、バックライト１７０Ａの点灯照度（輝度）を変えてもよい。
【０２５４】
また、第２実施形態における処理部１２０は、照度センサー１１６１の出力に基づき、ユーザーの置かれた環境が明るいと判断できる期間を点灯許可期間とし、そうでない期間を点灯禁止期間としてもよい。
【０２５５】
また、上述した第２実施形態では、照度センサー１１６１の代わりに又は照度センサー１１６１に加えて、ソーラーパネル（発電量）及び紫外線センサー（紫外線量）の少なくとも一方を用いて、明るさを推測してもよい。
【０２５６】
また、上述した何れかの実施形態の処理部１２０は、ユーザーが所定の操作ボタン（操作ボタン１５０Ｂ）を押下した場合にバックライト１７０Ａの点灯指示が入力されたと判定したが、ユーザーが表示部１７０を見るジェスチャーをした場合にバックライト１７０Ａの点灯指示が入力されたと判定してもよい。
【０２５７】
また、上述した何れかの実施形態の処理部１２０は、点灯禁止期間であるか否かに拘わらず、ユーザーが所定の操作ボタン（操作ボタン１５０Ｂ）を押下したタイミングでバックライト１７０Ａを点灯させてもよい（強制点灯モード）。
【０２５８】
あるいは、上述した何れかの実施形態の処理部１２０は、操作ボタン１５０Ｂが押下され場合であっても、点灯禁止期間である場合にはバックライト１７０Ａを必ず非点灯としてもよい（非強制点灯モード）。
【０２５９】
或いは、上述した何れかの実施形態の処理部１２０は、上記の強制点灯モードと上記の非強制点灯モードの何れで動作するのかをユーザーに予め指定させてもよい。
【０２６０】
また、上述した何れかの実施形態の処理部１２０は、以上の各種の機能のうち少なくとも１つ（又は２以上の組み合わせ）を、ユーザーの設定に応じて電子機器１、１’に発現させてもよい。
【０２６１】
３−２．ラップ情報のバリエーション
本実施形態の電子機器１の処理部１２０は、通知及び記録すべきラップ情報に、ラップタイム、ラップ距離、ラップペース、ラップ心拍数の少なくとも１つを含めたが、他のラップ情報を含めてもよい。ラップ情報は、ユーザーパフォーマンスデータ（又はユーザー活動量データ）をラップ区間ごとに計測したものである。ユーザーパフォーマンスデータ（又はユーザー活動量データ）の例は、後述するが、以下、ラップ情報として採用可能なデータをいくつか説明する。
【０２６２】
例えば、処理部１２０は、通知及び記録すべきラップ情報の１つに、最大酸素摂取量（ＶＯ２ｍａｘ）、最小酸素摂取量（ＶＯ２ｍｉｎ）、のうち少なくとも一方を加えてもよい。
【０２６３】
ここで、最大酸素摂取量（ＶＯ２ｍａｘ）は、ラップ区間におけるユーザーの最大の酸素摂取量である。酸素摂取量は、ユーザーの年齢や性別、体重等のパラメーター値を用いて、所定の演算式に従って演算（推定）することができる。なお、演算式それ自体は公知であるため、ここでは説明を省略する。
【０２６４】
また、上記の実施形態の処理部１２０は、通知及び記録すべきラップ情報の１つに、最大脈拍数の項目と、最小脈拍数の項目の少なくとも一方を加えてもよい。
【０２６５】
ここで、最大脈拍数“ＨＲｍａｘ”は、ラップ区間におけるユーザーの最大の脈拍数であり、例えば「ＨＲｍａｘ＝２２０−ユーザーの年齢」によって算出することが可能である。また、最小脈拍数“ＨＲｍｉｎ”は、ラップ区間におけるユーザーの最小の脈拍数であり、例えば安静時脈拍数を設定することが可能である。一般的な成人の安静時脈拍数は「６０〜７０」程度である。この範囲の中から、ユーザーの性別や年齢等に基づいて安静時脈拍数を決定し、最小脈拍数“ＨＲｍｉｎ”として設定することができる。
【０２６６】
３−３．ユーザーパフォーマンスデータについて
また、上記の実施形態の処理部１２０は、以下のユーザーパフォーマンスデータの少なくとも１つを生成して記録してもよい。
【０２６７】
ユーザーパフォーマンスデータの例：運動距離（移動距離、累積移動距離）、運動時間、所定の心拍ゾーンにおける運動時間、歩数、ラップ歩数、走行ペース、走行ピッチ、歩幅（ストライド）、スプリットタイム、ラップタイム、累積上昇高度、累積下降高度、標高（運動した場所の平均高度）、勾配、トレーニング回数（ランニング回数、最大、平均など）、目標達成度、姿勢（走行姿勢）、左右差、接地時間、真下着地率、推進効率、脚の流れ、着地ブレーキ量、着地衝撃、心拍数、消費カロリー、酸素摂取量、発汗量、水分摂取量、所定条件における予想運動距離（移動距離、予想累積距離）、所定の心拍ゾーンに到達するまでの時間、所定条件での予想ペース、所定条件での予想ピッチ、所定条件での予想歩幅（予想ストライド）、所定条件での予想タイム（ラップタイム、スプリットタイム）、所定条件での予想消費カロリー、自動生成された目標、紫外線量、ＶＯ２ｍａｘ、ＳｐＯ２（動脈血酸素飽和度、推定値）、種目別ユーザーパフォーマンスデータ、…など。
【０２６８】
３−４．ユーザー活動量データについて
また、上記の実施形態の処理部１２０は、以下のユーザー活動量データの少なくとも１
つを生成して記録してもよい。
【０２６９】
ユーザー活動量データの例：移動距離、運動時間、歩数、歩行ペース、歩行ピッチ、歩幅、早歩き歩数、ランニング歩数、上昇階数（「５階分」、「２階分」等）、上昇階段数（「１００段」、「２００段」等）、心拍数、睡眠時間、ストレス（興奮状態とリラックス状態とのバランス）、酸素摂取量、発汗量、水分摂取量（ユーザーによる手動入力）、消費カロリー、摂取カロリー（ユーザーによる手動入力）、カロリー収支、体重（体重計との通信による入力、又はユーザーによる手動入力）、ウエストサイズ（ユーザーによる手動入力）、緊張時間とリラックス時間とのバランス（心バランス）、心拍数、目標達成度、紫外線量、ＶＯ２ｍａｘ、ＳｐＯ２（動脈血酸素飽和度、推定値）、睡眠状態（深い、浅い、良い、悪い、などの割合又は点数）…など。
【０２７０】
３−５．センサー種類について
上記の実施形態の電子機器１は、センサーとして、以下の各種のセンサーのうち少なくとも１つを用いることができる。すなわち、加速度センサー、ＧＰＳ（ＧＮＳＳ）センサー、角速度センサー、速度センサー、心拍センサー（胸ベルトなど）、脈拍センサー（心臓以外の場所で測るセンサー）、歩数計、圧力センサー、高度センサー、温度センサー（気温センサー、体温センサー）、地磁気センサー、体重計（電子機器１の外部装置として用いる）、紫外線センサー、発汗量センサー、血圧センサー、血中酸素濃度（ＳｐＯ２）センサー、乳酸センサー、血糖値センサーなどである。
【０２７１】
３−６．データ集計手法について
上記の実施形態の処理部１２０は、少なくとも１つのラップ情報として、ラップ区間内の平均値の他に、ラップ区間内の代表値（ベスト値、ワースト値）、ラップ区間内の累計、ラップ区間内の推移、ラップ区間内の割合、ラップ区間内のばらつき、ラップ区間内のばらつき（変動の大きさまたは小ささなど）、ラップ区間内の目標達成度、ラップ区間内データから算出した予想値、ラップ区間内のデータから算出した目標値、ラップ区間の評価結果（点数、レベル、良かった割合など）の少なくとも１つをユーザーへ通知又は記録することができる。
【０２７２】
３−７．グラフ表示について
上記の実施形態の処理部１２０は、ラップ区間におけるデータを数値で表してもよいし、棒グラフや折れ線グラフなどの他種のグラフで表示してもよい。
【０２７３】
また、上記の実施形態の処理部１２０は、少なくとも１つのデータを数値イメージで表したが、ユーザーが所定の操作ボタンを押下し続けること（又は繰り返し押下すること）で数値イメージが時系列に切り替わるようにしてもよい。或いは、上記の実施形態の処理部１２０は、複数の数値イメージを画面内に列記することで数値の推移が一覧できるようにしてもよい。
【０２７４】
また、上記の実施形態の処理部１２０は、少なくとも１つのデータを当該項目の目標と共に表示してもよい（目標と結果）。また、その場合、処理部１２０は、或る項目のデータが目標に達した場合には、データを強調表示してもよい。データの強調表示は、データのコントラスト、明るさ、色、彩度の少なくとも１つを変化させたり、反転表示したり、点滅表示したり、マークを付与したり、データの表示サイズを拡大したりすることなどにより行われる。
【０２７５】
また、上記の実施形態の処理部１２０は、少なくとも１つの項目に関する（ｉ）目標と結果、（ｉｉ）結果と予想、（ｉｉｉ）最大最小と平均のうち、少なくとも１つの組み合わせを並べて表示してもよい。
【０２７６】
３−８．通知態様について
また、電子機器１又は情報端末２は、ユーザーに対する情報の通知を、画像表示により行ってもよいし、画像表示のほかに、音出力、振動、光、色（ＬＥＤの発光やディスプレイの表示色）などにより行ってもよいし、画像表示、音出力、振動、光、色のうち少なくとも２つの組み合わせにより行ってもよい。
【０２７７】
３−９．ユーザー設定について
また、上記の実施形態では、情報の入力を電子機器１に対してユーザーが直接的に行ったが、ユーザーが情報端末２を介して間接的に行ってもよい。情報端末２は、電子機器１の設定に必要な情報をユーザーに入力させ、情報端末２は、電子機器１と通信可能な環境にあるときに、当該情報を電子機器１へ転送すればよい。
【０２７８】
３−１０．その他のカスタマイズについて
また、上記の実施形態の処理部１２０によるユーザーへの通知内容（通知期間、通知項目、通知態様、集計手法、通知順序などを含む）の少なくとも一部は、ユーザーが予め設定することが可能（カスタマイズ可能）であってもよい。
【０２７９】
３−１１．機器の形態について
また、電子機器１及び情報端末２の少なくとも一方は、リスト型電子機器、イヤホン型電子機器、指輪型電子機器、ペンダント型電子機器、スポーツ器具に装着して使用する電子機器、スマートフォン、ヘッドマウントディスプレイ（ＨＭＤ：Head Mount Display）、ヘッドアップディスプレイ（ＨＵＤ：Head Up Display）など、様々なタイプの携帯情報機器として構成することができる。
【０２８０】
３−１２．オプション機能について
また、電子機器１及び情報端末２の少なくとも一方には、他の機能が搭載されてもよい。他の機能とは、例えば公知のスマートフォン機能である。スマートフォン機能には、例えば、通話機能、メール着信通知機能、電話着信通知機能、通信機能、カメラ機能、などが含まれる。
【０２８１】
３−１３．種目
上述した何れかの実施形態では、システムの用途がランニングである場合を説明したが、実施形態のシステムは、夜間に行われる可能性のある各種のスポーツに適用することができる。例えば、ウォーキング、自転車などである。
【０２８２】
また、何れかの実施形態のシステムは、バックライト１７０Ａの点灯許可期間を制限する必要のある何れかのスポーツに適用することができる。「昼間は点灯禁止」、「夜も所定条件の時だけ点灯を許可」するスポーツである。水泳、トレイルランニング、登山、トレッキング、トライアスロン、スキー（クロスカントリースキー等を含む）、スノーボード、スノーシューハイキングなど、野外活動を伴うスポーツや長時間に亘って行われるスポーツに有効と考えられる。
【０２８３】
さらには、本実施形態のシステムの用途としては、マラソン、ランニング、ウォーキングのほか、登山、トレッキング、スキー（クロスカントリー、スノーボード）、スノーボード、スノーシューハイキング、自転車、スイミング、トライアスロン、ダイエット、フィットネス（総称：アクティビティ）、の他に、スケート、バイク、ボート（漕艇）、ヨット、トレイルランニング、パラグライダー、犬ぞり、馬術、などの各種スポーツが挙げられる。またスポーツ以外であっても、ナビゲーション、リハビリテーションなどにも適用が可能である。また、本実施形態のシステムは、各用途に応じて異なる項目をロギング
してもよいし、ユーザーに用途又は項目を選択させてもよい。
【０２８４】
３−１４．システム形態について
上記の実施形態では、サーバー４の機能の一部が情報端末２又は電子機器１に搭載されてもよいし、情報端末２又は電子機器１の機能の一部がサーバー４に搭載されてもよい。また、上記の実施形態では、電子機器１の機能の一部又は全部が情報端末２に搭載されてもよいし、サーバー４及び情報端末２の機能の一部又は全部が電子機器１に搭載されてもよいし、サーバー４及び電子機器１の機能の一部又は全部が情報端末２に搭載されてもよい。
【０２８５】
３−１５．測位システムについて
また、上記の実施形態では、全地球衛星測位システムとしてＧＰＳ（Global Positioning System）を利用したが、他の全地球航法衛星システム（ＧＮＳＳ：Global Navigation
Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０２８６】
４．その他
本発明は上記の実施形態に限定されず、本発明の要旨の範囲内で種々の変形実施が可能である。
【０２８７】
また、上述した各実施形態及び各変形例は一例であって、これらに限定されるわけではない。例えば、各実施形態及び各変形例を適宜組み合わせることも可能である。
【０２８８】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０２８９】
１…電子機器、１１０…ＧＰＳセンサー、１２０…処理部、１３０…記憶部、１１１…地磁気センサー、１１２…気圧センサー、１１３…加速度センサー、１１４…角速度センサー、１１５…脈センサー、１１６…温度センサー、１５０…操作部、１６０…計時部、１７０…表示部、１８０…音出力部、１９０…通信部、２…情報端末、３…ネットワーク、４…サーバー
【図１】
2017156494.tif 000003
【図２】
2017156494.tif 000004
【図３】
2017156494.tif 000005
【図４】
2017156494.tif 000006
【図５】
2017156494.tif 000007
【図６】
2017156494.tif 000008
【図７】
2017156494.tif 000009
【図８】
2017156494.tif 000010
【図９】
2017156494.tif 000011
【図１０】
2017156494.tif 000012
【図１１】
2017156494.tif 000013
【図１２】
2017156494.tif 000014
【図１３】
2017156494.tif 000015